(57)【要約】【課題】舌動部によって形成される空間部を介し舌運動を自由にして発声トレーニングを行い易くすることができる滑舌棒を提供する。【解決手段】口に横向きに銜え左右の奥歯で噛挟みしながら発声トレーニングを可能とする噛厚と長さの噛み部２ａと、該左右の噛み部２ａを接続する内側非噛み部２ｂと、噛み部２ａの外側に形成される外側非噛み部２ｓとからなる噛み本体２を有する滑舌棒１であって、前記左右の噛み部２ａの間に、内側非噛み部２ｂと舌Ｄの基部表面との強い接触を回避して舌の動きを自由にする空間部５ａを形成する舌動部５を設けた構成にする。【選択図】図１５
2016065957.tif 000002
【特許請求の範囲】
【請求項１】
口に横向きに銜え左右の奥歯で噛挟みしながら発声トレーニングを可能とする噛厚と長さの噛み部（２ａ）と、該左右の噛み部（２ａ）を接続する内側非噛み部（２ｂ）と、噛み部（２ａ）の外側に形成される外側非噛み部（２ｓ）とからなる噛み本体（２）を有する滑舌棒（１）において、前記左右の噛み部（２ａ）の間に、内側非噛み部（２ｂ）と舌（Ｄ）の基部表面との強い接触を回避して舌の動きを自由にする空間部（５ａ）を形成する舌動部（５）を設けることを特徴とする滑舌棒。
【請求項２】
前記舌動部（５）を、内側非噛み部（２ｂ）を左右の噛み部（２ａ）から舌先側に向けて湾曲状に屈曲させて形成することを特徴とする請求項１に記載の滑舌棒。
【請求項３】
前記外側非噛み部（２ｓ）に、噛み部（２ａ）と舌動部（５）を床面（Ａ）から離間させる枕部（３）、又は口に銜えた使用時に口角部或いは頬等の顔の外皮部（Ｃ）に接触させる顔接触部（７）を、一体又は着脱自在に設けることを特徴とする請求項１又は請求項２に記載の滑舌棒。
【請求項４】
前記舌動部（５）の両側基部に、後方に向けて谷部を形成する後屈曲部（５ｃ）を設けて噛み部（２ａ）を形成することを特徴とする請求項１乃至請求項３のいずれかに記載の滑舌棒。
【請求項５】
前記噛み部（２ａ）噛み位置に対し、該噛み部（２ａ）より肉厚な厚噛み部（２ｃ）を左右移動自在又は着脱自在に設けることを特徴とする請求項１乃至請求項４のいずれかに記載の滑舌棒。
【請求項６】
前記舌動部（５）に、上側又は下側の歯列（Ｂ）の所定の係止歯に係脱自在に係止させる歯係合具（１４）を設けることを特徴とする請求項１乃至請求項５のいずれかに記載の滑舌棒。
【請求項７】
前記左右の外側非噛み部（２ｓ）に、頭部又は顔に装着して滑舌棒（１）を口に噛挟み姿勢に支持する装着部材（１０）を設けることを特徴とする請求項１乃至請求項６のいずれかに記載の滑舌棒。
【請求項８】
前記滑舌棒（１）を、装着部材としてのマスク（１０）に着脱自在又は一体的に設けることを特徴とする請求項１乃至請求項７のいずれかに記載の滑舌棒。
【請求項９】
前記噛み本体（２）を、中空部材によって形成することを特徴とする請求項１乃至請求項８のいずれかに記載の滑舌棒。
【請求項１０】
前記左右の噛み部（２ａ）と舌動部（５）等を弾力性及び可撓性を有する合成樹脂製パイプ（２ｒ）によって被覆すると共に、滑舌棒（１）を使用者が口に銜えた状態で噛挟み姿勢を曲げ変更可能に構成することを特徴とする請求項１乃至請求項９のいずれかに記載の滑舌棒。
【発明の詳細な説明】
【技術分野】
【０００１】
本発明は、口に横向きに銜え左右の奥歯で噛挟みしながら発声トレーニングを可能とする滑舌棒に関する。
【背景技術】
【０００２】
従来、表声（地声）による音域を拡げるためのトレーニングに使用される発声トレーニング器具は、特許文献１に示されるものが既に公知である。この発声トレーニング器具は、肉厚が５〜２０ミリの範囲内の２つの噛挟部を延出部によって繋いで平面視Ｕ字状に構成することにより、２つの噛挟部の全体を口の中に挿入した状態で、両者を上下左右の奥歯で同時に噛むと共に、両延出部を前唇の外に張り出し保持した状態で、表声の音域を拡げるように発声トレーニングをするものである。
また口腔内に滴形状の口腔体を入れた状態で発生練習をする発声練習具は、特許文献２に示されるものが既に公知である。
【０００３】
一方、テレビやインターネット並びに書籍等で紹介されている手軽な発声トレーニング具として、口奥で横向きに銜える噛挟み具としての滑舌棒とそのトレーニング方法が、例えば非特許文献１に紹介されているように既に公知である。この滑舌棒は、直径１センチ程度の円柱状の木製棒を１４〜１５センチの長さに切ったものであり、これを奥歯で軽く噛んだ噛挟み状態で、例えば「ブラジル人のミラクルビラ配り」、「柿の木栗の木かきくけこ」など、種々のフレーズを繰返し声に出して唱えると、舌筋と口輪筋が素早く正確に動くようになり、きれいな子音発生に効果的であるとされている。また箸やナイフ等の平板を滑舌棒として噛挟みをすると、自ずと口角を上げる笑顔トレーニングになること、このとき「あいうえお」等と発声練習を同時にすると、口角筋や口輪筋等の顔の表情筋（顔筋）を鍛えながら、よい笑顔習慣や口元を美しく躾ける明るい笑顔美人を目指すと共に、きれいな発音会話を通し相手に笑顔と快適な印象を与えることができ、美と健康と人材育成によって人間関係をいきいきと良好にすることから、ビジネスを好結果に促進するとされている（非特許文献１中、平林都氏、福澤明氏提唱）。
【０００４】
そして、上記顔筋運動に効果のある各種トレーニングは、脳科学的な知見から脳内血流を活性させる海馬への血流増加を促すため、記憶活性及び集中力向上さらには認知症予防にも効果があると提唱されている。さらに、近年の脳研究では、「口角部を上げたり拡張する動作や意識は、脳にとっては笑顔状態であり、いま幸せであると、反射的に認知する。」とマスコミやテレビで報道されている。このことは、「人は幸せだから笑う（笑顔になる）のではなく、笑う（笑顔にする）から幸せなのだ」（哲学者アランによる幸福論中の提唱語録意）にあるように、口角に笑顔刺激を意識的に付与すると、笑顔信号を受けた脳は、今私は幸せなのだと幸せ情報を潜在意識に蓄積させることから、幸福創造を自律化すると言われている。
一方、近年提唱されているスポーツ科学分野では、オリンピック短距離走において笑顔状態で練習を重ねた選手が記録更新に繋げた事例が証明されており、他の運動や修練並びに稽古ごとの分野においても、必要以上の緊張や執着を排した笑顔状態のリラックス意識によるトレーニングを、より科学的に実践し易くする方法論が研究解明中である。このスポーツ理論によれば、一般人が運動時に意識的に笑顔を持続することは困難であることから、笑顔状態を創出するツールが希求されている。このように現代では、潜在意識的な知見からも笑顔状態を持続させるトレーニングの重要性が指摘されている。
【先行技術文献】
【特許文献】
【０００５】
【特許文献１】特開平１０−２９３５２８号公報
【特許文献２】実開昭６２−８１９７５号公報
【非特許文献】
【０００６】
【非特許文献１】書籍「賢人の話し方」（株式会社幻冬舎発行）の、ページ１２４，１２５、ページ１４６，１４７
【発明の概要】
【発明が解決しようとする課題】
【０００７】
上記特許文献１に示される発声トレーニング器具は、Ｕ字形状の両端に形成される噛挟部を口中に入れ奥歯で噛んで表声の音域を拡げる滑舌棒として勝れている。然しながら、この滑舌棒は平面視Ｕ字形状であること及び側面視で平坦状であるため、トレーニング中に銜えた滑舌棒を所用や都合等によって一時的に口から取出し、机上や洗面台等の使用場所で近隣の置台（以下床面と言う）に置いたのち再び口に銜えてトレーニングを再開する場合に、滑舌棒は唾液で濡れている噛み部が床面に接触して汚れ不潔感を伴う状態になっているため、トレーニングを中断し洗浄をしたのち再使用をするか、別の滑舌棒を準備して再トレーニングを継続しなければならない等の欠点がある。
【０００８】
さらに、特許文献１の滑舌棒はＵ字形状の延出部が唇を開いて前方に突出するものであり、また特許文献２の発声練習具もカバーや突出体が口腔内から前方に突出するものであるため、上記トレーニングを例えば、机上での勉強や読書並びに新聞を読むとき、及び散歩やジョギング並びにスポーツ等の各種身体運動或は台所や掃除等任意な日常作業を行ないながら使用するとき、口前方に突出する突出部分が視界内に入ることから邪魔になると共に、顎の動きに伴い噛挟み位置がずれる欠点がある。特に特許文献１の滑舌棒は、前唇側を常に開けた状態で延出部を前方に突出させた姿になるので、唇と舌の上下運動を融合させた滑舌（発声）トレーニングが困難であること、及び呼吸法をする上での不具合や笑顔に大きく係わる口角筋や口輪筋等の表情筋が鍛えられ難いこと、並びに口角部への刺激付与も弱くトレーニング意識を持続させ難いものであるため、笑顔習慣の躾を行うには不向きになる等の問題がある。
【０００９】
一方、非特許文献１で紹介されている滑舌棒は真直であり、口に横向き（左右方向）に銜え噛み部を噛挟みしながらその両外側の外側非噛み部を口奥側の口角部から一部突出させて使用するため、滑舌棒の外側非噛み部の外周面を口角部の口角後縁内に口縁接触軸部として接触させた状態で、唇を閉じること及び発声をすることが可能であり、口角部の接触を介し顔筋に適切な接触刺激を付与し口輪筋を柔らかくするように鍛えることができるため、笑顔に有効な顔筋トレーニングになること、及び各種の呼吸法も併せて行うことができる等の利点がある。
【００１０】
然しながら、単に円柱状の木製棒や箸等のストレートな滑舌棒は、単に口に銜えたまま発声及び唇等の運動をするものであるため、運動に伴い適正な噛挟み位置から前側にずれ移動し口角部から離れて口角部との接触感覚を失うものであると共に、この位置での滑舌練習は不十分になる等の欠点を生ずる。つまり、真直な在来型滑舌棒は口に銜え口角部に接当させたとき、上下の歯列の奥歯側で噛挟みされる左右の噛み部の間に位置する内側非噛み部が、口の奥側でちょうど舌の付根部の上面側（以下単に舌の基部側と言う）に位置して、舌の基部側表面に押接状態で接触し舌の上下方向の動きを規制するため、長時間の発声トレーニングを継続し難くする欠点がある。その結果、口角接触刺激を失い笑顔や顔筋トレーニング効果が低減すること、及び舌の上下運動が棒によって規制され顎の上下運動が抑制されること、並びにトレーニングを中断して前側に位置ずれする滑舌棒の適正位置への復帰修正のための噛み直し移動操作を頻繁に必要とするため、長い時間にわたる滑舌棒の使用に煩雑さを伴い困難にする等の欠点、並びにトレーニングに飽きを伴い易い等の課題がある。
【００１１】
さらに、トレーニングを一時的に休止したのち再開する場合に、使用者は唾液で濡れた滑舌棒を一旦床面に置いたのち再び口に銜えることになるため、床面と接触して汚れて不潔になった噛み部の清掃が必要で、速やかに再使用できずにその煩雑さや面倒感によりトレーニングを中断し継続し難くする等の問題もある。また他の作業（読書、運動、仕事等）時間を利用してトレーニングをしたいとき、上記真直な滑舌棒の構造と使用態様のみによっては、噛み位置がずれて不安定な違和感を伴うことと、口角部の外皮部等に対する適正な接触刺激を継続付与しなくなるものであることから、笑顔と滑舌を重視する顔筋トレーニング用としても不十分になる等の課題がある。
【課題を解決するための手段】
【００１２】
上記課題を解決するため本発明の滑舌棒は、第１に、口に横向きに銜え左右の奥歯で噛挟みしながら発声トレーニングを可能とする噛厚と長さの噛み部２ａと、該左右の噛み部２ａを接続する内側非噛み部２ｂと、噛み部２ａの外側に形成される外側非噛み部２ｓとからなる噛み本体２を有する滑舌棒１において、前記左右の噛み部２ａの間に、内側非噛み部２ｂと舌Ｄの基部表面との強い接触を回避して舌の動きを自由にする空間部５ａを形成する舌動部５を設けることを特徴としている。
【００１３】
第２に、前記舌動部５を、内側非噛み部２ｂを左右の噛み部２ａから舌先側に向けて湾曲状に屈曲させて形成することを特徴としている。
【００１４】
第３に、前記外側非噛み部２ｓに、噛み部２ａと舌動部５を床面Ａから離間させる枕部３、又は口に銜えた使用時に口角部或いは頬等の顔の外皮部Ｃに接触させる顔接触部７を、一体又は着脱自在に設けることを特徴としている。
【００１５】
第４に、前記舌動部５の両側基部に、後方に向けて谷部を形成する後屈曲部５ｃを設けて噛み部２ａを形成することを特徴としている。
【００１６】
第５に、前記噛み部２ａの噛み位置に対し、該噛み部２ａより肉厚な厚噛み部２ｃを左右移動自在又は着脱自在に設けることを特徴としている。
【００１７】
第６に、前記舌動部５に、上側又は下側の歯列Ｂの所定の係止歯に係脱自在に係止させる歯係合具１４を設けることを特徴としている。
【００１８】
第７に、前記左右の外側非噛み部２ｓに、頭部又は顔に装着して滑舌棒１を口に噛挟み姿勢に支持する装着部材１０を設けることを特徴としている。
【００１９】
第８に、前記滑舌棒１を、装着部材としてのマスク１０に着脱自在又は一体的に設けることを特徴としている。
【００２０】
第９に、前記噛み本体２を、中空部材によって形成することを特徴としている。
【００２１】
第１０に、前記左右の噛み部２ａと舌動部５等を弾力性及び可撓性を有する合成樹脂製パイプ２ｒによって被覆すると共に、滑舌棒１を使用者が口に銜えた状態で噛挟み姿勢を曲げ変更可能に構成することを特徴としている。
【発明の効果】
【００２２】
請求項１の発明によれば、口に横向きに銜え左右の奥歯で噛挟みしながら発声トレーニングを可能とする噛厚と長さの噛み部と、該左右の噛み部を接続する内側非噛み部と、噛み部の外側に形成される外側非噛み部とからなる噛み本体を有する滑舌棒において、前記左右の噛み部の間に、内側非噛み部と舌の基部表面との強い接触を回避して舌の動きを自由にする空間部を形成する舌動部を設けることにより、滑舌棒は舌動部によって形成される空間部を介して舌運動を自由にするため、発声トレーニングを行い易くすることができる。
また滑舌棒は、内側非噛み部を左右の噛み部より前方又は上方に変位させること、又は噛み部に対し内側非噛み部を薄くすること、又は内側非噛み部を屈曲自在にする等の簡単且つ安価な構造によって舌動部を構成することができる。
【００２３】
請求項２の発明によれば、前記舌動部を、内側非噛み部を左右の噛み部から舌先側に向けて湾曲状に屈曲させて形成することにより、左右の噛み部の間に舌の基部側を大きく動かして発声トレーニングをすることができる空間部を簡単に構成することができる。
【００２４】
請求項３の発明によれば、前記外側非噛み部に、噛み部と舌動部を床面から離間させる枕部を一体又は着脱自在に設けることにより、滑舌棒を非使用時及びトレーニングを一時的に中断し口から取出したとき、床面に噛み部と舌動部の接触を防止して衛生的に置くことができる。
【００２５】
請求項４の発明によれば、前記舌動部の両側基部に、後方に向けて谷部を形成する後屈曲部を設けて噛み部を形成することにより、左右の噛み部の内側を外側より口奥側に向けて内向き後方に傾斜する後退斜面部も噛み部にするので、噛挟み時における噛み本体の位置決めを容易にして快適に使用することができる。また後屈曲部を介して舌動部の前後方向の屈伸代を大きくすることができるため、舌動部の前端位置の調節等をより自由にすることができ適正噛挟みを維持したトレーニングを継続し易くすることができる。
【００２６】
請求項５の発明によれば、前記噛み部の噛み位置に対し、該噛み部より肉厚な厚噛み部を左右移動自在に設けることにより、複数の滑舌棒を準備することなく一つの滑舌棒を用い、左右の厚噛み部の位置を選択するだけで、噛み厚を異にした発声及び顔筋等の多様なトレーニングを行い易くすることができる。
【００２７】
請求項６の発明によれば、前記舌動部に、上側又は下側の歯列の所定の係止歯に係脱自在に係止させる歯係合具を設けることにより、歯係合具は噛挟みされる滑舌棒が備える舌動部によって口内側から安定支持された状態で、上側又は下側の歯列の所定の係止歯に確実に係止させることができるので、歯係合具は係合する所望歯列を矯正する歯の矯正ツールになり、歯科医療の分野において噛み本体側から歯を矯正する新規な用途を創出することができる。
【００２８】
請求項７の発明によれば、前記左右の外側非噛み部に、頭部又は顔に装着して滑舌棒を口に噛挟み姿勢に支持する装着部材を設けることにより、トレーニング時に噛み部の噛挟みを緩くしたとしても、装着部材によって滑舌棒の口前側への移動を規制して適正姿勢に保持するため発声トレーニング等を行い易くすることができる。また使用者がトレーニングを一時的に休止するとき、滑舌棒を頭部又は顔に簡単に仮支持することができ再使用を容易にすることができる。
【００２９】
請求項８の発明によれば、前記滑舌棒を、装着部材としてのマスクに着脱自在又は一体的に設けることにより、マスクの装着を介して発声等のトレーニングを、口元を隠した状態で外観させることなく行うことができるため、人目や場所や時間等を気にすることなくトレーニングを行い易くすることができる。またマスク使用の時間を利用して滑舌法の習得や、マスク装着時の口呼吸を抑制しながら鼻呼吸を促進することができると共に、口呼吸症候群や花粉症候群等の予防に繋ぎ易くする新規なマスク使用法や用途を安価に創出する。
【００３０】
請求項９の発明によれば、前記舌動部を備える噛み本体を、中空部材によって形成することにより、滑舌棒の軽量化を図ることができると共に、使用者が前歯を閉じた噛挟み状態で液体又は気体を中空部の側方から舌動部を介して舌基部の下又は上の適所に楽に供給することができるので、舌下療法等の供給ツールとして好適化させることができる。
【００３１】
請求項１０の発明によれば、前記左右の噛み部と舌動部等を弾力性及び可撓性を有する合成樹脂製パイプによって被覆すると共に、滑舌棒を使用者が口に銜えた状態で噛挟み姿勢を曲げ変更可能に構成することにより、滑舌棒は合成樹脂製のパイプによって少なくとも舌動部と噛み部を覆うため、噛み本体を安価で屈伸調節を容易にすることができる適正材料の選択を自由にすることができると共に、噛み本体の表面処理を低コストにすることができる。また合成樹脂製のパイプによって覆われる滑舌棒は、表面弾力性によるソフトな歯ざわりによって噛挟みをし易くしながら、使用者に適した噛み姿勢の調節を容易にすることができる。
【図面の簡単な説明】
【００３２】
【図１】本発明に係る滑舌棒を備える発声トレーニング器具を示す全体側面図である。
【図２】図１の発声トレーニング器具に装着される滑舌棒の構成を示す一部断面正面図である。
【図３】本発明の他の実施形態に係る滑舌棒の構成を示す一部断面正面図である。
【図４】本発明の他の実施形態に係る滑舌棒の斜視図である。
【図５】図４の平面図である。
【図６】本発明の他の実施形態に係る滑舌棒を示し、（ａ）は図５の右側面図、（ｂ）は図５の滑舌棒をパイプで被覆した状態を示す平断面図である。
【図７】本発明の他の実施形態に係る滑舌棒を示し、（ａ）は図５のａ−ａ線断面図、（ｂ）は口角接触具の断面図である。
【図８】本発明の他の実施形態に係る滑舌棒を示し、滑舌棒に厚噛み部又は枕部を設ける構造を示す断面図である。
【図９】本発明の他の実施形態に係る滑舌棒を示し、滑舌棒に厚噛み部又は枕部を設ける他の構造を示す断面図である。
【図１０】本発明の他の実施形態に係る滑舌棒を示し、滑舌棒に口角接触具を設ける構造を示す断面図である。
【図１１】本発明の他の実施形態に係る滑舌棒を示し、滑舌棒に弾性装着部材を設けて使用する使用態様例を示す平面図である。
【図１２】本発明の他の実施形態に係る滑舌棒を示し、滑舌棒と枕部と口角接触具とを１本の線状部材によって構成する実施形態の平面図である。
【図１３】本発明の他の実施形態に係る滑舌棒を示し、滑舌棒と枕部と口角接触具とを１本の線状部材によって構成する他の実施形態の平面図である。
【図１４】本発明の他の実施形態に係る滑舌棒を示す斜視図である。
【図１５】図１４の滑舌棒の平面図である。
【図１６】本発明の他の実施形態に係る滑舌棒を示し、（ａ）は図１５の右側面図、（ｂ）は（ａ）を反転した状態を示す右側面図である。
【図１７】本発明の他の実施形態に係る滑舌棒を備えた発声トレーニング器具を示し、（ａ）は斜視図、（ｂ）は使用状態を示す側面図である。
【図１８】本発明の他の実施形態に係る滑舌棒を備えた発声トレーニング器具を示す斜視図である。
【図１９】本発明の他の実施形態に係る滑舌棒を備えた発声トレーニング器具を示す側面図である。
【図２０】本発明の他の実施形態に係る滑舌棒を備えた発声トレーニング器具を示し、（ａ）は斜視図、（ｂ）は滑舌棒の取付構造を示す断面図、（ｃ）は他の取付構造を示す断面図である。
【図２１】本発明の他の実施形態に係る滑舌棒を示し、（ａ）は滑舌棒に口角接触具を設けて使用する使用例を示す全体平面図、（ｂ）は（ａ）の口角接触具の斜視図である。
【図２２】本発明の他の実施形態に係る滑舌棒をマスクに設けた発声トレーニング器具を示し、（ａ）は一部破断して示す全体斜視図、（ｂ）は（ａ）の平面図、（ｃ）は使用状態を示す平面図、（ｄ）は使用状態を示す側面図である。
【図２３】本発明の他の実施形態に係る滑舌棒をマスクに設けた発声トレーニング器具を示し、（ａ）は一部破断して示す全体斜視図、（ｂ）は（ａ）のマスクと滑舌棒の分解平面図、（ｃ）は（ｂ）の滑舌棒の正面図、（ｄ）は使用状態を示す平面図、（ｅ）は使用状態を示す側面図である。
【発明を実施するための形態】
【００３３】
以下図面に基づき本発明に係る滑舌棒１の各実施の形態及び使用態様について説明する。先ず、図１,図２に示す第１実施形態の噛挟み具としての滑舌棒１は、口に横向きに銜える噛み本体２を、上下左右の奥歯側で噛挟みをする噛み部２ａと、左右の噛み部２ａを接続する内側非噛み部２ｂと、左右の噛み部２ａの外側に延長され口角部の後縁（口角後縁Ｋと言う）に接触する口角後縁接触部としての外側非噛み部２ｓとを一連の線状部材（丸棒状部材）によって形成している。そして、図示例の滑舌棒１は、噛み部２ａより大径（肉厚）な噛み厚と長さを有する筒又はブロック状の厚噛み部２ｃを、各外側非噛み部２ｓの外側から左右移動及び着脱自在に挿入して設けていると共に、厚噛み部２ｃの外側寄りに枕部３を一体的に形成している。
【００３４】
これにより滑舌棒１は、左右の枕部３を噛み本体２の両端側に位置させたとき、２点鎖線で示す上下の歯列Ｂの奥歯によって、噛み本体２の左右の噛み部２ａを等しく銜えて噛挟みをする薄噛み状態にすることができる。また図２の２点鎖線で示すように左右の枕部３を、左右方向（長手方向）に移動（スライド）調節して噛み本体２の内側所定位置にしたとき、前記奥歯によって厚噛み部２ｃの所望位置を等しく噛挟みをする厚噛み状態にすることができる。この厚噛み状態における滑舌棒１は、左右の厚噛み部（噛み部）２ｃの間に、内側非噛み部２ｂと舌Ｄの基部表面との強い接触を回避して舌の動きを自由にする舌動部５を形成している。つまり滑舌棒１は、左右の厚噛み部２ｃの下面と内側非噛み部２ｂとの間に上向きに変位する空間部５ａを形成する舌動部５によって、内側非噛み部２ｂを舌の基部側に強く押接させることなく、舌に上下方向の運動を自由にするため発声（滑舌）トレーニングを行い易くする。また薄噛み状態において舌動部５を必要とする場合には、後述する各実施形態で示すように内側非噛み部２ｂを、左右の噛み部２ａから前方側或は上方側に向けて空間部５ａを形成するように屈曲状に形成してもよい。
【００３５】
実施形態の枕部３は、最大径の外周接地面３ａから内向きに集束する円形又は楕円形又は６角形状の断面を有する厚噛み部２ｃを一体的に形成しており、その略中心部に噛み本体２と同じ断面形状の取付孔３ｂを形成している。これにより滑舌棒１は、噛挟みを解除した非使用時に顔から外して床面Ａに置いたとき、枕部３の接地部３ａを接地させて噛み部２ａ及び厚噛み部２ｃ並びに舌動部５を床面Ａから離間させることができる。尚、上記噛み本体２及び枕部３は、合成樹脂材、金属、木竹材等の素材によって所望に製作することができる。
【００３６】
さらに、滑舌棒１は噛み本体２を口に銜えた使用時に、顔の口角部や頬等に接触させる顔接触部材としての顔接触部７を設けることにより、口角部に接触刺激を付与しながら笑顔や顔表情を司る表情筋等の顔筋トレーニングを、発声トレーニングと併行して行うことができるようにしている。図示例の顔接触部（以下口角接触具と言う）７は、弾性力を有する板状の本体部を口角部の外側から外皮部Ｃに面的又は点的に接触させる口外接触片７ａとしており、その本体基部に形成した取付孔７ｔを介し、厚噛み部２ｃ或いは噛み部２ａに左右移動自在に挿入し、口外接触片７ａを外皮部Ｃに押接加減を調節可能にしている。そして、上記のように構成される滑舌棒１は、顔部又は頭部に着脱自在に装着した状態で、滑舌棒１の噛み本体２を口に噛挟み姿勢、即ち、上記外側非噛み部２ｓを後述するように口角後縁Ｋに接触状態で保持させる取付手段９を有するつる本体８等からなる装着部材１０によって、発声トレーニング器具１ａを使用し易く構成することができる。
【００３７】
次に、滑舌棒１及び発声トレーニング器具１ａの要部構造について詳述する。先ず、図示例の噛み本体２は弾性力及び可撓性を有する金属製又は合成樹脂製の丸棒状部材とし、噛み部２ａの厚さ（直径）を３〜５ミリ程度、左右の全長を１３０〜２００ミリ程度にしている。また噛み部２ａの表面には図示しない目盛を付設している。枕部３は、側面視で６角形状の異形断面とし外周に床面Ａと平面的に接触して転動を規制する接地部３ａを形成し、対向する接地部３ａ間の厚さ（直径）を１０〜２５ミリ程度にしている。尚、滑舌棒１の噛み本体２は、丸棒形状に限ることなく平板状の棒状体にすることができる。
【００３８】
これにより滑舌棒１は、噛み本体２に対し左右で対をなす枕部３を厚噛み部２ｃを内向きにし、取付孔３ｂを介して両端からスライド自在に挿入することにより簡単に構成することができる。また厚噛み部２ｃは、内向きに集束する集束端の正面視での厚さは５〜７ミリ程度とし、且つ平面視での厚さ（前後方向の幅）は７〜２０ミリ程度にすることが望ましい。尚、枕部３及び厚噛み部２ｃは、噛み本体２の両側に対しネジ嵌合させる螺合手段によって着脱及び左右移動自在に取付けてもよい。また枕部３は反転させた状態で噛み本体２に取付けると、その経大な端面を口角部に外側から側面的に接触させる口外接触片（７ａ）にすることもできる。
【００３９】
上記構成による滑舌棒１は、噛み本体２の両側に厚噛み部２ｃを有する枕部３を左右方向に移動調節自在に取付けているため、左右の枕部３を噛み本体２の両端側に位置させたとき、上下の歯列Ｂの奥歯によって噛み本体２の最薄の噛み部２ａを銜えて噛挟みをすることができる。また左右の枕部３を２点鎖線で示すように、噛み本体２の内側所定位置にしたとき、上下の歯列Ｂの左右の奥歯によって枕部３側の厚噛み部２ｃの所望位置を等しく銜えて噛挟みをすることができる。即ち、この滑舌棒１は、最薄厚の噛み本体２を銜えた薄厚噛み姿勢によるトレーニング（以下薄噛みトレーニングと言う）と、厚噛み部２ｃの正面視での厚さを銜えた厚噛み姿勢によるトレーニング（以下厚噛みトレーニングと言う）とを自在に選択して行うことができる。
【００４０】
また滑舌棒１は、噛み本体２の厚さを３〜５ミリ程度にし、枕部３と一体の噛み部２ａの正面視での厚さを、７ミリ程度から２０ミリ程度に向けて順次経大となる楕円形状斜面で形成する場合に、使用者は３〜７ミリ程度の噛厚による薄噛みトレーニングと、厚噛み部２ｃをさらに内側移動させて１０〜２０ミリ程度の厚噛みトレーニングを簡単に行うことができる。従って、従来のもののように噛厚の異なる複数の滑舌棒を準備することなく、一つの滑舌棒１を用い左右の厚噛み部２ｃの位置を選択するだけで、大人から子供等の大きさの異なる口に適応した薄噛みと厚噛みと、噛み厚を異にした発声及び顔筋等の多様なトレーニングを利便性を有して簡単に行なうことができる。
【００４１】
さらに、滑舌棒１は噛み本体２に顔接触部としての口角接触具７を着脱及び取付け位置調節自在に設けているため、口に銜えた使用時に、顔の口角や頬等に接触刺激を付与しながら笑顔や顔表情を司る表情筋等の顔筋トレーニングを、発声トレーニングと併行して行うことができる。図示例の口角接触具７は、弾性力を有する板状の本体部を口角部の外側から外皮部Ｃに面的又は点的に接触させる口角接触具としての口外接触片７ａとしているため、左右の枕部３の厚噛み部２ｃに挿入した状態で噛み本体２の両側に配置することができ、且つここから左右の枕部３を内側に移動させるか、顔接触部（以下口角接触具と言う）７を直接的に移動することにより、口角接触具７を２点鎖線で示すように口角部や周囲の外皮部Ｃに接当調節することができる。
【００４２】
尚上記口外接触片７ａは、本体部の外周を円弧状面や２点鎖線で示す凹凸面にすることができ、また上方に向けて長く伸ばした先端部を鼻の両側やほうれい線に接当させることができる。これにより口角接触具７は、外皮部Ｃの所望接当部に接触刺激や押圧刺激を付与するため、使用者はその刺激により口角を上げる意識や呼吸法を行う意識を持続することができ、口角を上げる顔筋が自ずと鼻腔を広げて深い鼻呼吸を促進し、口呼吸習慣の改善を可能にすることができる。従って、笑顔習慣の促進や口元の皺の解消等も期待しつつ楽しみながら使用することができる。さらに、口角接触具７は発声をしないときでも、口角等の外皮部Ｃに接触させて接触刺激を付与するので、使用者は笑顔を意識する笑顔トレーニングや接触刺激による顔筋トレーニング等を簡単に行うことができる。
【００４３】
以上のように構成される滑舌棒１は、噛み本体２を口に銜えて支持する使用を単独に行うことができる一方、顔部又は頭部に着脱自在に装着可能な装着手段としての各種形態の装着部材１０によって、滑舌棒１を適正トレーニング姿勢で装着支持する発声トレーニング器具１ａとして使用することができる。
次に、図１，図２に示す発声トレーニング器具１ａの装着部材１０について説明する。この装着部材１０は、メガネのつると同様な製造手段によって意匠性を有して製作される板状断面のつる本体８の前部に、滑舌棒１を取付ける取付手段９を有する支持部８ａを略水平状に形成すると共に、該支持部８ａから後上り傾斜のつる部８ｂを形成している。つる部８ｂは、後部に耳掛け部となるフック部８ｃや紐や保管用の係合部材を通すことができる通し孔８ｄを設けている。またつる本体８には、必要により左右外側方の視界を遮るカバー８ｅ等を着脱自在に取付ける取付孔８ｆを設けている。
【００４４】
左右のつる本体８は、前方に延長させた支持部８ａの先端部位を横連結部材１０ｃによって着脱又は一体的に連結することにより、平面視コ字状フレームとなる装着部材１０を構成することができる。また図示例の装着部材１０は、支持部８ａに枕部８ｍを設けることにより、非使用時に噛み本体２及び口角接触具７を床面Ａから離間させて衛生的に仮置きすることができる。この枕部８ｍは、支持部８ａを下向きに広幅状に拡張形成するか、又は下向きに突出する突起を設けることにより構成することができる。また板状断面のつる本体８からなる装着部材１０は、使用者が広い板状面やカバー８ｅを利用して好みのイラストや接着装飾材による装飾を施し易くすることができ、意匠性を豊かにして発声トレーニング器具１ａの愛用ツール化を図り易くする等の利点もある。
【００４５】
以上のように構成される発声トレーニング器具１ａは、口角部に外側から接触させる口外接触片７ａ及び口角部の後縁（口角後縁）に口内から内面的に接触させる外側非噛み部２ｓ等の顔筋接当部材（後述する口縁接触軸部７ｃに相当する）を有する滑舌棒１を、つる本体８を介して顔に着脱自在に装着した装着状態で使用するため、恰もメガネを掛けるときと同様の手軽さでつる部８ｂをそれぞれ両耳に掛けて滑舌棒１を支持することができる。これにより噛み本体２を銜えた状態で顔筋トレーニングと共に発声トレーニングを行い易くすることができると共に、トレーニング時に使用者が噛み部２ａの噛挟みを緩くしたとしても、噛み本体２は装着部材１０によって口前側への移動が規制されるため、常に適正トレーニング姿勢に保持されることになる。
【００４６】
また発声トレーニング器具１ａは、滑舌棒１を手で持つことなく装着部材１０を用い、口に銜えた適正位置において安定よく噛挟みをすることができるので、発声トレーニング及び笑顔トレーニング等を効率よく行うことができる。そして、滑舌棒１は装着部材１０から簡単に着脱することができるので、必要により各種の滑舌棒１の交換使用や、外した滑舌棒１の単独使用を随時能率よく行うことができる等の特徴がある。さらに、装着部材１０は支持部８ａに設ける弾性支持機構８ｓを介し、噛み本体２又は口角接触具７を少なくとも前後方向の少量移動を弾力によって許容自在に支持することができる。この場合に両者は装着使用状態における噛挟み運動の変化に応じた前後或は上下移動を、弾性支持機構８ｓの弾性に基づき少量又は微小に許容自在にするため、装着部材本体（つる部８ｂ等）のずれ移動を緩衝抑制しながら、使用感を高めたトレーニングをより行い易くする利点がある。
【００４７】
また実施形態の滑舌棒１は使用にあたり、肉薄の噛み部２ａを銜えて行う薄噛みトレーニングと、肉厚の厚噛み部２ｃを銜えて行う厚噛みトレーニングとの両トレーニングを簡単に選択できるため、種々の発声を行う広範囲な発音トレーニング並びに、音声を発することなく口角を上げたり単に唇を動かしたりする表情筋トレーニング（以下単に顔筋トレーニングと言う）等の各種トレーニングを多様に行うことができる。尚、図２,図３で示すような、噛み部２ａの噛み位置に対し該噛み部２ａより肉厚な厚噛み部２ｃを左右移動自在に設ける薄噛みと厚噛みの切換手段は、図６（ｂ）で後述するような、舌動部５を左右の噛み部２ａから舌先側に向けて湾曲状に屈曲させて形成した滑舌棒１を屈伸させる切換手段にすることもできる。
【００４８】
また使用において、上記薄噛みトレーニングでは、肉薄の噛み部２ａを奥歯で軽く噛み保持することができるので、顎及び唇に大きな負荷をかけることなく上下の唇を閉じ易くする薄噛み姿勢において、前歯と唇による薄噛み姿勢特有の発声トレーニング並びに会話トレーニングを長時間にわたり楽に行うことができると共に、顔を下向きにして新聞や本を読むとき、及び勉強時並びにパソコン等の使用時に好適に使用することができる。さらに、装着部材１０を使用するとき、ジョギングやダンス等の各種運動時並びに各種ジムやトレーニング場において、容易且つ長時間の使用を可能にすることができるため、運動と顔筋とを同時に行うトレーニングの相乗効果を新規的に高めることができる。
【００４９】
また厚噛みトレーニングでは、在来の直径１０ミリ程度の丸棒状滑舌棒と同様に奥歯で噛んだ厚噛み姿勢特有の唇と呼吸法を主とする発声法により、前記したような種々のフレーズ等を繰返し声に出して唱える発声トレーニングの工夫を促し好適にすることができる。この場合には、唇や口角部を大きく動かす必要があることから、滑舌の活性と口角を上げて顔の表情に笑顔習慣をつけるトレーニング等をより促進することができる等の利点がある。
【００５０】
また上記のように多様なトレーニングをすることができる滑舌棒１は、装着部材１０を用いて噛み本体２の噛挟み姿勢を適正に保持することができるので、勉強や運動時はもとより入浴やトイレ時にも、また自動車等の運転時にも好適に使用することができる。特に、薄噛みトレーニングから厚噛みトレーニングに切換えて使用するとき、大きく口を開け閉めする噛み刺激や口角を上げる刺激を大きくするため、勉強や運転時の眠気防止も効果的に行うことができる。
【００５１】
さらに、滑舌棒１は、噛み本体２の側端に枕部３を設けていることにより、１つの滑舌棒１を用いながら長時間にわたり衛生的に使用することができる。つまり、この滑舌棒１は、非使用時はもとよりトレーニングを一時的に中断し口から取出したとき、使用場所近隣の床面Ａに無作為的に置く（仮置き）ことができる。この場合に滑舌棒１は、左右の枕部３が床面Ａに接当して噛み部２ａ，２ｃを床面Ａから離間させるため、従来の滑舌棒のように唾液で濡れた噛み部を床面Ａとの接触によって汚すことなく仮置きできる。
【００５２】
そして、短時間のトレーニング中断のために噛み本体２を洗浄したり別の滑舌棒と取り替える必要がなく、清潔が保持されている滑舌棒１を、枕部３を摘まんでそのまま銜えて速やかにトレーニングを再開し継続することができる。また噛み本体２を口奥に強く押圧して行なう発声トレーニングや笑顔トレーニングを、枕部３或はつる本体８を持って安定的に姿勢保持し易くすることができる等の特徴がある。一方、異形断面によって形成される接地部３ａを有する枕部３は、接地部３ａが床面Ａに安定的に接触して転動を規制するので、装着部材１０から外した滑舌棒１が、床面Ａを転がって落下する等の事態を防止し衛生的な使用を助成する。また装着部材１０に設けられる枕部８ｍは、支持部８ａに後述するように取付けられる各種形態の口角接触具７も床面Ａとの接地接触を防止すると共に、上記形態の枕部３を有しない噛み本体２を装着した場合でも床面Ａとの接触を防止することができる。従って、上記発声トレーニング器具１ａは、誰でも何処でも衛生的に使用し易く且つ使用機能を融合させたデザインを可能にするので、飽きをこさせ難い効果的なトレーニング使用を促進する等の特徴がある。
【００５３】
次に、図３〜図２３を参照し本発明に係る他の実施形態について説明する。尚、上記第１実施形態のものと同様な構成及び作用については同一符号を付し説明を省略する。先ず、図３に示す滑舌棒１は、噛み本体２に対し左右でそれぞれ対をなす厚噛み部２ｃと口角接触具７と枕部３とを着脱及び左右移動自在に設けている。口角接触具７は、外側から口角部に接触させる口外接触片７ａと、内側から接触させる口内接触片７ｂと、口角部の唇奥側の口縁（口角後縁）に接触させる口縁接触軸部７ｃとを一体的に形成し、その本体部に噛み本体２を挿入自在な取付孔７ｔを設けた構成にしている。
【００５４】
これにより滑舌棒１は、実線位置において奥歯で厚噛み部２ｃを噛挟みすることができ、隣接する口角接触具７は、口内接触片７ｂを口内に差入れた状態で口外接触片７ａを口角頬部等の外皮部Ｃに接当させ、口外接触片７ａと口内接触片７ｂとの間で口角後縁を挟持状態にしながら、口縁接触軸部７ｃが口角後縁に内接した接触支持状態で口内接触片７ｂを口角部の内皮部に接触させる。尚、口角接触具７は、口外接触片７ａを大径とし口内接触片７ｂを小径にして口縁接触軸部７ｃから突出形成することが望ましく、この場合には両者間で形成される谷状部を深くしながら、口角接触具７の口角部への挿入装着と位置決めを容易確実にして使用し易くする。
【００５５】
図示例の口角接触具７は、口内に挿入された口内接触片７ｂが、口内から口角部を後方及び上方側に向けて押接付勢するため、口角部や頬を内側から外側に向けて揉み解すように使用でき、口角を広げ上げる笑顔トレーニング効果を確実にする。このとき口を開け閉めする動作（口運動）を加えることも容易になり、口角筋や口輪筋等の口筋を柔らかくするように鍛える顔筋トレーニングを効果的に併進する。また口内側からの強い接触刺激により使用後にも、笑顔感覚意識を長く持続させるトレーニング残感効果（余韻）を向上させることができる。また口角接触具７は反転させて使用することができるため、外皮部Ｃに大径の口外接触片７ａの全面を接当させた使用を簡単に行うことができる。
【００５６】
そして、厚噛み部２ｃと口角接触具７とは、いずれも噛み本体２に移動自在に設けているので、使用者の口の大きさやトレーニング目的に適応したトレーニングを自由にすることができる。また枕部３も弾性力を有する合成樹脂製リングにすることが望ましく、この場合には枕部３を噛み本体２から簡単に外すことができ、次いで口角接触具７及び厚噛み部２ｃも容易に外すことができるので、各部品の洗浄や異なる大きさや形状の部品交換等のメンテナンス作業や各部品製造を行い易くする。
【００５７】
また口角接触具７や厚噛み部２ｃの反転及び形状の異なる他のものとの交換挿入使用や、顔の大きさ及びトレーニング目的に対応したものの使用を容易且つ自由にして、所望のトレーニングを広範囲に行うことを可能にする等の特徴がある。尚、上記枕部３を外した噛み本体２は、口角接触具７の口外接触片７ａを径大とし下部を床面Ａに接地させる枕部８ｍとなるように形成している。これにより仮置き時の噛み本体２は、枕部８ｍが床面Ａに接当して唾液で濡れる口内接触片７ｂや噛み部２ａを離間させ、枕部３と同様に唾液で濡れた部分を汚すことなく衛生的な使用をすることができる。
【００５８】
次に、図４〜図７に示す滑舌棒１について説明する。この滑舌棒１の噛み本体２は、軽量であること及び可撓性と剛性或は必要により弾性力を備え、且つ噛挟み時に外側非噛み部２ｓを口角部に接触させ易い好適軽量部材として、直径３〜５ミリ程度の貴金属やチタン合金或はアルミ材等からなる針金並びに合成樹脂成形品等からなる線状部材によって構成することができる。そして、外側非噛み部２ｓを左右の噛み部２ａから舌先側に向けて屈曲させることにより、トレーニング時に舌Ｄを上下に自由に動かすことができる舌動部５を設けている。
【００５９】
即ち、この滑舌棒１は、ストレートな線状部材からなる噛み本体２に、外側非噛み部２ｓを山折り状に屈曲した前屈曲部５ｂと、外側非噛み部２ｓと左右に連なる噛み部２ａとの接続部位を谷折り状に屈曲した後屈曲部５ｃとを有する平面視で山高帽子形状にしている。これにより滑舌棒１は、舌動部５の外周を歯列Ｂの内側に位置させることができ、この左右の後屈曲部５ｃの間で舌Ｄの基部側の動きを自由にする谷状の空間部５ａを前方に向けて形成し、前屈曲部５ｂの先端を下前歯に近接させることができる。そして、舌動部５の後屈曲部５ｃを介し左右に張り出し状になる噛み部２ａを奥歯で噛挟みしながら、外側非噛み部２ｓを口角後縁Ｋ側で噛挟みする適正噛挟み位置に臨ませることができる。尚、滑舌棒１は図５に２点鎖線で示すような口内拡張片Ｈを設けることができ、口内拡張片Ｈは口奥側内から頬部を外側に押しやるので、より奥側の奥歯によって噛み部２ａを噛挟みし易くすることができる。
【００６０】
この滑舌棒１の使用態様は、外側非噛み部２ｓ側を把持して開けた口内に左右の後屈曲部５ｃを口角部側に入れ、舌動部５を下歯の歯列Ｂ内に入れた状態で口を閉じる動作によって、左右の噛み部２ａを奥歯で同時噛挟みして銜えることができる。これにより舌動部５の先端即ち前屈曲部５ｂが下前歯側或は口内下部と接当状態になり、且つ奥歯で噛み部２ａを噛挟むとき、該噛み部２ａの外側非噛み部２ｓが口縁接触軸部７ｃとして、口角後縁Ｋを後方に向けてしっかりと押接するため、口角部での唇噛挟みも自ずと確実にしながら強い口角接触刺激を付与する。
【００６１】
このため使用者は、滑舌棒１を従来の真直な滑舌棒のように手で口角後縁Ｋに押し付け保持することなく、単に口に銜えて閉じ噛挟みするだけの簡単な動作によって、口角接触刺激を付与する顔筋トレーニングを自ずと行うことができ、また舌Ｄを活用して行う発声トレーニングも行い易くすることができる。さらに、使用者が滑舌棒１を加えたまま噛み部２ａの噛挟みを緩めたり解除したとしても、湾曲している舌動部５の先端側が口内で下前歯に近接又は接当して滑舌棒１の前側移動を規制するので、ここから単に再噛挟みをする自然な動作によって、手を使うことなく元位置に復帰させてトレーニングを続行することができる。
【００６２】
また使用者は、舌動部５によって形成される空間部５ａを介し少なくとも舌Ｄの基部の動きを自由にすることができるため、舌運動を左右の噛み部２ａ間の外側非噛み部２ｓに支障されることなく、舌運動トレーニングや発声を楽に行うことができると共に、トレーニング姿勢での多少の会話も可能にすることができる。さらに舌動部５は、その前部側を前歯と前唇の間に挿入挟持する仮保持することができるので、滑舌棒１を口から離脱させることなく噛挟み姿勢から仮保持させたまま、トレーニングを一時的に中止して行う場合の会話を自由にすることができる等の特徴もある。
一方、滑舌棒１を装着部材１０に取付けて使用する場合には、つる本体８によって口前側への移動を矯正的に規制することができると共に、つる本体８によって滑舌棒１をより後方側に向けて付勢支持することができるので、噛み本体２による口角部への接触刺激をより強くすること、及び噛み本体２をより奥側の奥歯によって噛挟みすることができる等の利点がある。
【００６３】
次に、上記のように使用される滑舌棒１の実施構造並びに付加実施態様について詳述する。この滑舌棒１は図５に示すように、噛み本体２に形成する後屈曲部５ｃを、例えば図１１に示すものより後方に向けて大きく屈曲させた突状屈曲部として形成し、舌動部５の基部両端に左右対称に形成される後退斜面部５ｄを介して噛み部２ａを設けると共に、舌動部５の基部両側に後方に向けて深くなる屈曲谷部５ｅを形成している。これにより滑舌棒１は、平面視において左右の噛み部２ａの内側を外側より口奥側に向けて内向き後方に傾斜する後退斜面部５ｄも噛み部とすることができ、左右の奥歯によって点接触状に等しく噛挟みすることができる。そして、屈曲谷部５ｅの空間形状を介する左右の後退斜面部５ｄと奥歯との点接触的な接当によって、噛挟み時における噛み本体２の位置決めを容易にすることができ、トレーニング中における噛み本体２の左右方向の噛挟み位置ずれを規制しながら快適に使用することを可能にしている。
【００６４】
つまり図示例の滑舌棒１は、平面視で略水平状をなす左右の外側非噛み部２ｓに対し後屈曲部５ｃを口奥側に突出させているため、屈曲谷部５ｅを介して後退斜面部５ｄをより奥側の奥歯で噛挟みをするとき、外側非噛み部２ｓが口縁接触軸部７ｃとなって口角後縁Ｋをより強く押接する接触刺激を付与した噛挟みトレーニングを行うことを可能にする。さらに、滑舌棒１は弾性力及び可撓性を有して変形自在な線状部材によって、舌動部５を前方に向けて張り出す湾曲形状にしているため、使用者がその湾曲形状を自身の口に適応した大きさと形状に容易に変形させて使用することができるので、１つの滑舌棒１によって口の大きさや要求の異なる多様な使用者にも速やかに対応することができる。
【００６５】
即ち、この滑舌棒１は後屈曲部５ｃ等諸要部の屈伸変形代を十分に有していることにより、図４の実線位置から２点鎖線に示すように、左右の後屈曲部５ｃを内外方向に屈曲変形したり、或は前屈曲部５ｂを変形させて舌動部５の先端位置を前後方向に変形移動調節したりすることを容易にする。また後屈曲部５ｃは、舌動部５の基部側を噛み部２ａより後方に位置させ前後方向の屈伸代を大きくすることができるため、舌動部５の前端位置の調節及び左右幅や形状調節をより自由にするので、口の大きさに対応しトレーニング中でも口に銜えたまま、使用者が自身の手によって噛挟み姿勢を容易に整えることができ、適正噛挟みを維持したトレーニングを継続し易くすることができる等の特徴がある。
【００６６】
また噛み本体２は、左右の後屈曲部５ｃを狭めながら前屈曲部５ｂを前方側に移動させると、舌動部５の前後長さを大きくすることができるため、前屈曲部５ｂを前歯側（歯茎を含む）に接当させ、且つ後屈曲部５ｃの後退斜面部５ｄを口角後縁Ｋに強く押接した状態で口内にしっかりと支持することができ、口角後縁Ｋの押接を強力にした使用を可能にする。また噛み本体２は図４に２点鎖線で示すように、左右の噛み部２ａと外側非噛み部２ｓを上向きに形成するとき、口角部による噛挟みを介して舌動部５を下歯内側に位置させることができ、また左右の噛み部２ａと外側非噛み部２ｓを下向きに形成するとき、口角部による噛挟みの変化を介して舌動部５を上歯内側に位置させ易くすることができるため、舌動部５の口内での接当位置を変えた発声トレーニングも多様にすることができる。尚、滑舌棒１は舌動部５の前後方向長さを長くすると、その前部側を上下の前歯によって噛挟みしたトレーニングをすることができる。
【００６７】
さらに、滑舌棒１は噛み部２ａの外側に隣接して厚噛み部２ｃを図６（ｂ）に示すように固定状態で設ける場合に、噛み部２ａを噛挟みする実線で示す薄噛みトレーニング姿勢から、左右の後屈曲部５ｃの間を前記したように狭めることができるので、厚噛み部２ｃにスライド構造を設けることなく、左右の厚噛み部２ｃを歯列Ｂに簡単に臨ませることができる。このとき後退斜面部５ｄを有する後屈曲部５ｃは、２点鎖線で示すように口内後方側に向けて大きく屈曲させることができるので、舌動部５の前部位置及び左右幅を大きく変えることなく、厚噛み部２ｃの噛挟みを適正にした厚噛みトレーニングを一つの滑舌棒１によって簡単に行うことができる。
【００６８】
従って、噛み本体２を屈伸調節するだけの簡潔安価な構成によって、厚噛みトレーニングを速やかに行うことができると共に、再薄噛みトレーニングの復帰も逆順の動作によって噛み部２ａを左右移動し元に戻すことより行うことができる。また図示例の滑舌棒１は、少なくとも舌動部５と噛み部２ａに合成樹脂製パイプ２ｒを挿入して覆うことができ、噛み本体２の材質をアルミ線等の安価な適正材料を選択自由としながら、噛み本体２の屈伸調節を自由にすることができる。そして、合成樹脂製パイプ２ｒによって覆われる滑舌棒１は、内部の噛み本体２の材質や表面処理を低コスト任意にしながら、表面の弾力性とソフトな歯ざわりによって噛挟みし易く、且つ洗浄も容易で衛生的に使用することができる等の特徴を備えている。
【００６９】
このように可撓性を有する線状部材からなる噛み本体２は、予め加工された基本形状から使用者の好みにより、舌動部５や噛み部２ａ及び外側非噛み部２ｓ等を簡単に屈伸させることができるので、左右の噛み部２ａの間隔調節並びに装着調節等を自由にすることができる。また噛み部２ａや舌動部５等の所望箇所をパイプ材によって簡単に被覆することができる等の利点がある。このパイプ材は市販されているシリコン製チューブやストローにすることができ、且つその性質により曲げ加工や噛挟みの使用感覚の対応選択を容易にすることができる。
【００７０】
尚、滑舌棒１は噛み本体２を小径丸棒又は丸パイプ等にする場合には、噛み本体２の軽量化を図ることができると共に、図７（ａ）に示すようにプレス加工等によって平面視並びに側面視での薄肉軽量化を図ることもでき、少なくとも舌動部５部分の屈伸性をより高めて使用し易くすることができる。また装着部材１０を使用しないで滑舌棒１を単独で使用する場合には、図５に２点鎖線で示すように、噛み本体２の両端部に球体又はリング状等の枕部３を設けることが望ましい。図示例の枕部３は球体の下部を平坦な接地面にしており、該接地面を床面Ａに接触させることにより、舌動部５を上方に向けて起立させた起立姿勢で滑舌棒１を衛生的に仮置きすることができる。
【００７１】
さらに、この滑舌棒１は、例えば盆栽等の整枝用として曲げ易い可撓性と形状保持性に勝れて市販されているアルミ線を選択して製造してもよく、この場合には予め加工形成される基本形状を、使用者が噛挟み姿勢において随時所望に微調整しながら整姿して使用を行い易くすることができる。またアルミ線類からなる噛み本体２は図６（ｂ）に示すように、その全長に予めシリコンパイプやチューブ等の合成樹脂製パイプ２ｒを挿入した状態での屈曲加工も容易にすることができる。そして、合成樹脂製パイプ２ｒは、例えば医療用機器に使用されているような透明又は半透明状のパイプにすることも簡単であるため、予め赤青黄や金色等に着色されている市販アルミ線を選択することにより、多様なカラー色を外観できるカラー色利用型の滑舌棒商品のシリーズ化を簡単且つ安価に行うことができる等の利便性がある。
【００７２】
以上のように構成される滑舌棒１は、使用者が舌運動を自由にしながらトレーニングと快適使用を相乗的に行うことができると共に、外側非噛み部２ｓを口角後縁Ｋに確実に接触させる口角接触刺激の付与によって、トレーニング後にも口角部に対する接触残感覚（笑顔残感）の余韻を確実に持続させ、すっきりとした気持ちのよい爽快感と満足感を伴い笑顔意識も継続し易くする。さらにトレーニング時には、外側非噛み部２ｓが口角筋を押接し緊張させる筋肉反応を確実にするため、鼻腔を広げる作用を顕著にしながら鼻呼吸をよりスムーズに促進する。これにより使用者は、口角部に強い接触刺激を持続した発声トレーニングと顔筋トレーニングを、飽きを伴うことなく効率よく有効的に行うことができる。
【００７３】
また上記のように鼻腔を広げる鼻呼吸促進運動は、使用者が意識的に口角部を上げる動作を持続的な口角接触刺激によって行い易くするため、鼻腔を拡張するトレーニングも行い易くする。そして、上記滑舌棒１は舌動部５を口内前側にした通常使用姿勢において、例えば医学的な知見から推奨されている、「舌先を上あごに吸い着けたのちに強く元に弾き返す舌の上下反発運動」を外側非噛み部２ｓに支障されることなく行うことができるため、舌筋や口筋を効果的に強化することができて、睡眠中の口呼吸の防止や唾液枯渇防止等の健康促進効果並びにリップトレーニングや滑舌改善トレーニング効果の向上等を図ることができる。尚、上記推奨されている舌の上下反発運動は、近年特に顕著とされる口筋力の低下に伴う、睡眠時無呼吸症候群やドライマウス症候群による睡眠障害、及び免疫力低下等の弊害を、簡単且つ効果的に改善予防すると言われているものである。
【００７４】
次に、図７（ｂ）を参照し滑舌棒１に装着自在な顔直付け用のクリップ機能を備える口角接触具７について説明する。この口角接触具７は図３で前記した機能を同様に備えていると共に、取付軸部７ｅを介し噛み本体２への取付け使用及び噛み本体２から外した単独使用を容易にしている。即ち、口角接触具７は、既述の取付孔７ｔを有する取付軸部７ｅに口外接触片７ａと取付片７ｆとを一体的に突設し、取付軸部７ｅの延長方向に設けた口縁接触軸部７ｃの端部に口内接触片７ｂを突設している。口外接触片７ａは、耳形状又は舌片形状で椀状又は吸盤状に形成し、外周に至るほど柔軟性を有する形状にしている。口縁接触軸部７ｃは口内接触片７ｂ側から口外接触片７ａに向けて小径状に集束する接触軸斜面を形成し、口外接触片７ａと口内接触片７ｂとの間に口角後縁を挿入して挟持する挟持間隔を設けている。
【００７５】
これにより口角接触具７は、取付軸部７ｅを取付孔７ｔを介して噛み本体２の両側に挿入して発声トレーニング器具１ａや顔筋トレーニング器具を構成することができる。そして、滑舌棒１を口に噛挟み姿勢にするとき、口内接触片７ｂを口内に差入れると共に口外接触片７ａを口角部の外皮部Ｃに接触させると、口角後縁を口内接触片７ｂと口外接触片７ａとの挟持間隔内に入れて挟持した装着状態にすることができ、このとき口角後縁の内面が前記接触軸斜面に沿って倣い移動し深い挟持状態にすることができる。従って、この口角接触具７は、口内接触片７ｂと口外接触片７ａと口縁接触軸部７ｃとにより口角部に挟持装着状態にすることができ、口角部に対し口外と口内から接触刺激を付与して顔筋トレーニング効果を向上させることができる。また口角部に挟持装着状態となる口角接触具７は、口外への離脱や前後方向への位置ズレを規制することができるので、滑舌棒１の口への装着姿勢を適正に保持することができる。
【００７６】
さらに、上記構成及び形状によって口角部に挟持装着される口角接触具７は、装着部材１０から外して用いたとしても、唇による噛挟みによって離脱落下することなく口角部への装着姿勢を保持することができるので、装着部材１０を不要とした単体での使用を可能にする。つまり、単体で装着使用する場合の口角接触具７は、口縁接触軸部７ｃを介して弾性力を有する口外接触片７ａと口内接触片７ｂとが、口角接触具７を口角部に挟持状態で装着するクリップ機能を備えた装着部材１０を兼用構成することになる。このため前記した各種つる状部材からなる頭部装着型の装着部材１０を必要としないで、顔筋トレーニングや発声トレーニング等を簡易に行うことができるので、小型単体状で利便性を有し随時簡単に使用することができる新規方式の顔直付け型発声トレーニング器具の創出も可能にする。
【００７７】
従って、上記種単体小型の顔直付け型発声トレーニング器具は、口外接触片７ａと口内接触片７ｂと口縁接触軸部７ｃとが顔直付け用のクリップ型装着部材１０になり、左右の口角部に確実に装着することができると共に前方に向けて簡単に外すことができるので、つる部等に邪魔されることなく頭部や首並びに顔等のマッサージを受けるとき並びに各種のエステサロンにおいても、自由に装着併用することができる等の利点がある。尚、この口角接触具７は取付軸部７ｅに、輪ゴムやフック状の線状部材等の保持部材を装着部材１０として、耳に掛けた装着部材１０が口角部に挟持装着した状態の口角接触具７を上方側に付勢するため、トレーニング効果を高めると共に携帯使用の利便性を高めることができる。
【００７８】
次に、図８,図９,１０を参照し上記滑舌棒１の両端部に厚噛み部２ｃ又は口角接触具７を装着する各実施形態について説明する。先ず、図８に示す滑舌棒１の噛み本体２は、外側非噛み部２ｓとなる端部にネジ部２ｎを形成しており、該ネジ部２ｎに筒状の厚噛み部２ｃを左右移動自在に螺合している。図示例の厚噛み部２ｃは左側に小径厚噛み部と右側に大径厚噛み部を形成し、反転挿入することにより大径厚噛み部による厚噛みトレーニングを行うことができる。また厚噛み部２ｃの中央部には鍔状に突出する枕部３を設けている。
【００７９】
図９に示す噛み本体２のネジ部２ｎには、螺合される厚噛み部２ｃの中途部に口角接触具７を着脱又は一体的に設けている。この例によれば、厚噛み部２ｃを矢印方向に移動させることにより厚噛みトレーニングをしながら、口角接触具７を外皮部Ｃに押圧力を調節自在に接触させる顔筋トレーニングを行うことができる。尚、噛み本体２にスライド移動自在な小径厚噛み部２ｃを設ける場合には、該小径厚噛み部２ｃを大径噛み部２ａに形成した中空部２ｒ内に収納自在に設けることができる。
【００８０】
図１０に示す噛み本体２はパイプ材で形成しており、このパイプ端内にネジ棒２ｎを接続し、該ネジ棒２ｎに口角接触具７を左右移動自在に螺合するようにしている。上記口角接触具７は、口角部の外側から接触させる口外接触片７ａと、口角部の内側から接触させる口内接触片７ｂと、両者の間で口角後縁に接触させる口縁接触軸部７ｃとからなる口角接触本体の内側に、奥歯で噛挟みする厚噛み部２ｃを一体的に形成している。この口角接触具７は、その本体内に口内と口外とを連通させる通気口７ｔを形成し、口角部側で呼吸をする口角呼吸法を行うことを可能にしている。そして、上記通気口７ｔには必要により開閉弁や吐出し方向のみ通気可能とする逆止弁等のバルブを設けることができる。またパイプ等の中空部材からなる滑舌棒１は、噛み本体２の中空部を介し一側から供給される薬液等の舌下への供給を、図１１で後述するように行うことができる。
【００８１】
次に、図１１を参照し滑舌棒１の使用態様例について説明する。この滑舌棒１は、線状部材からなる噛み本体２に図４で示した前後方向の舌動部５を設けており、外側非噛み部２ｓ側にゴム紐部材（図示例では輪ゴムを示す）からなる装着部材（弾性装着部材）１０を係脱自在又は一体的に取付ける凹凸状の支持部２ｅを形成している。これにより滑舌棒１は、左右の弾性装着部材１０を両耳に掛けて顔に装着した状態で噛み本体２を口に銜えて噛挟み使用することができる。そして、噛み本体２を実線で示す通常使用姿勢から２点鎖線Ｘで示す舌規制姿勢と、２点鎖線Ｙで示す前歯掛け姿勢とに切換自在に装着可能としている。このため弾性装着部材１０を係止する複数の支持部２ｅのうち、内側と外側の支持部２ｅは噛み本体２の通常姿勢と前歯掛け姿勢での装着をすることができ、凹溝を逆向きに形成した中側の支持部２ｅは舌規制姿勢での噛み本体２を装着するようにしている。
【００８２】
即ち、この場合の発声トレーニング器具１ａの滑舌棒１は、通常姿勢及び２点鎖線Ｙの前歯掛け姿勢にある噛み本体２を使用するとき、内側の支持部２ｅに係止された弾性装着部材１０は、その中途を口角部や頬の外皮Ｃに接触させた状態での装着部材接触トレーニング行うことができると共に、弾性装着部材１０を外側の支持部２ｅに係止させることにより、弾性装着部材１０を外皮Ｃから離して行うトレーニングを簡単に行うことができる。また噛み本体２は通常姿勢から反転させ弾性装着部材１０を中側の支持部２ｅに係止すると、舌動部５を２点鎖線Ｘで示す前後反転姿勢に切換えて付勢保持することができる。
【００８３】
この前後反転姿勢において舌動部５は、口奥側に臨ませて舌のより基部上に置くことができ、舌動部５によって舌の動きをより規制することができるため、唇を集中的に動かして行う新規な発声トレーニングを行うことができる。一方、この前後反転姿勢では、舌動部５を舌の基部下に深く差入れて位置させることもできるので、この場合には、舌の動きを規制しないトレーニングを行うことができると共に、パイプ等の中空部材からなる噛み本体２に穿設した図示しない供給孔を介して、舌下等適所への薬液（薬剤）や気体（酸素ガスや大気）等の供給をより簡単確実に行うことができる。
またこのとき、滑舌棒１は使用者が前歯を開けることなく閉じたまま、液体又は気体を舌下の適所に楽に供給することができるので、舌下療法等の新規な供給ツールとして好適化させることができる。
【００８４】
さらに、噛み本体２は通常姿勢から弾性装着部材１０の弾性力に抗して２点鎖線Ｙの前歯掛け姿勢に簡単に切換ることができ、このとき舌動部５の内側湾曲面を上下の歯列Ｂを選択して歯列形状に沿った状態で接触させることもできるので、噛み本体２を口から取り外して床面Ａに仮置きすることなく歯列Ｂに係止保持させて、顔筋や発声等のトレーニングを一時的に解除した状態での会話並びに所用や休憩等を支障なく行なうことができると共に、トレーニングの再開を速やかに行うことができる。さらに、弾性装着部材１０を備える滑舌棒１は、舌動部５の湾曲形状を利用して後述する図１７（ｂ）で示すようなマウスピースを設けることにより、歯の矯正ツール等として歯科医療の分野でも新規な用途を創出する等の特徴がある。
【００８５】
次に、図１２,図１３及び図１４〜図１６を参照し、滑舌棒１の両端部に枕部３や口角接触具７を設ける場合の各種実施形態について説明する。尚、前記舌動部５を有する滑舌棒１と同様な構成及び作用効果については同一符号を付して説明を省略する。先ず、図１２に示す滑舌棒１は、噛み本体２の本体長さの両端を舌動部５に略直交する上方に向けて谷折りし、口角接触具７になる長さを有して山折りした端部で谷折りをすることにより枕部３を形成している。これにより滑舌棒１は、舌動部５を口内にいれて噛み本体２を噛挟みしたとき、両側に内向きになる口角接触具７を口角部又は頬の外皮部Ｃに接当させることができ、また仮置き時に枕部３を床面Ａに接地させたとき、唾液で濡れる舌動部５と床面Ａとの接触を防止することができる。
【００８６】
図１３に示す滑舌棒１は、図９に示す口角接触具７と枕部３との間に捻り部２ｈを付加した状態で、噛み本体２の両側に口角接触具７と枕部３とを一体的に屈曲構成している。この場合の滑舌棒１は、捻り部２ｈの付加加工により口角接触具７の形状剛性を向上させて口角接触具７の先端高さ大きくすることができるので、上下及び前後左右方向の形状変更を自在にすることができて、外皮部Ｃの所望位置に口角接触具７の先端及び中途部を自由に接触させ易くすることができる。尚、上記各実施形態の滑舌棒１に厚噛み部２ｃを設ける場合には、噛み本体２の長さを左右の厚噛み部２ｃのスライド長さを有して形成する。また枕部３と口角接触具７は矢印方向及び上下方向に屈曲自在な構成にすることができ、この場合には左右の口角部を上記両者によって挟持した状態での滑舌棒１の使用が可能になるため、口角部に接触刺激を自在に付与する滑舌棒１の新規なトレーニング使用方法を簡単に創出することができる。
【００８７】
図１４〜図１６に示す滑舌棒１は、前記図４〜図７で示したものと同様の舌動部５を有する噛み本体２を、左右の後屈曲部５ｃによって後退斜面部５ｄを介して噛み部２ａを前方に向けて折り返すと共に、これに連なる左右の外側非噛み部２ｓを前方に至るほど拡開させ、その前端部を口の両側前方に突出位置させる長さと形状にしている。これにより使用者は、滑舌棒１を左右の外側非噛み部２ｓの前端部を片手で挟み持ちをした状態で、平面視で先鋭状になっている左右の後屈曲部５ｃを口内奥側に向けて差入れると共に、舌動部５を下歯の歯列Ｂ内に位置決めして使用することができる。
【００８８】
滑舌棒１を位置決めした使用者は、屈曲谷部５ｅに臨む奥歯によって後退斜面部５ｄに連なる噛み部２ａを噛挟みすることができ、また口角部から張り出す外側非噛み部２ｓを口角部側で唇による噛挟みをすることができる。このとき左右に拡開している外側非噛み部２ｓは、口内側から左右の口角部を外側に向けて均等に広げるように押接すると共に、口角後縁Ｋに強く接触することになる。これにより使用者は、口角部に大きな接触刺激を受けながら口内側への口角部反力（抗力）を負荷として受けるため、これに抗して噛み部２ａを自ずとしっかり適正に噛挟みすることになる。従って、この滑舌棒１は、噛挟み位置にずれを生じない口への装着使用感を安定的に高め、装着部材１０を敢えて用いないトレーニング使用を行い易くすることができる。
【００８９】
さらに、図示する滑舌棒１は、左右の外側非噛み部２ｓを前方に向けて延長させると共に、その中途部を上方に向け谷折り状に屈曲させる屈曲部２ｇを介し起立状態になるアーム部２ｄを形成し、その上部を折り曲げて丸めた顔接触部（口角接触具等）７を一連に形成している。これにより滑舌棒１は、顔の前方に臨むアーム部２ｄ等を上下及び前後左右に屈伸調節することにより、顔接触部７を口角部や法令線等の鼻周りの外皮部Ｃに確実且つ簡単に位置決めすることができる。そして、使用者は噛み部２ａを噛挟みする動作力を加減することができ、アーム部２ｄを介し顔接触部７によって外皮部Ｃの接触所望位置を強弱自在に指圧することができる。
【００９０】
つまり、上記構成により滑舌棒１は噛挟みを強くするとき、噛み部２ａを支点に口角接触具７を顔側に引き寄せ回動することができるので、噛み力の強弱によって顔接触部７を外皮部Ｃに存在する各種のツボ等に強弱自在に押接することができる。さらに、左右の口角接触具７は、長いアーム部２ｄを介し内側に寄せて顔の所望部を強く挟むことができるので、新たな使用態様によって顔への接当刺激を付与させながら使用することができると共に、逆順の操作によって挟持解除姿勢にして使用することができる。即ち、この滑舌棒１は使用者が意識的に噛挟みの方向や位置及び噛挟み力を変えて自在に使用することができるので、１つの滑舌棒１によってより多様なトレーニングを簡単に行うことができる等の特徴がある。またアーム部２ｄは床面Ａに接地させる枕部３を兼用する形状にしていることにより、アーム部２ｄを接地させ仮置きするとき、舌動部５及び噛み部２ａを上方に位置させるので、滑舌棒１の衛生と安定姿勢を確実に保持することができる。
【００９１】
また滑舌棒１は図１６に示すように、舌動部５から後屈曲部５ｃを介して噛み部２ａを下向きに傾斜させると共に、側面視において舌動部５から外側非噛み部２ｓを下方に離間させている。これにより使用者が下向き傾斜の噛み部２ａを噛挟みする動作によって滑舌棒１を口奥側に引き寄せることができ、前側への移動を人為的に抑制しながら噛挟みを確実にし、且つ噛挟み力を加減することにより口角接触具７による口角後縁Ｋへの押接を強弱自在にすることができる。また噛み部２ａ及び外側非噛み部２ｓは、後屈曲部５ｃを介し舌動部５の上方側に位置させて形成してもよく、この場合には舌動部５を上歯側の歯列Ｂ内に位置させて使用することができると共に、上側に位置する外側非噛み部２ｓが口角部の上唇を上方に押し上げるように作用して強い笑顔状態にする等の利点がある。
【００９２】
つまり図示例の滑舌棒１は、図１６（ａ）から図（ｂ）に示すように反転させて使用することもでき、この場合には舌動部５の上方に噛み部２ａと外側非噛み部２ｓを位置させることができるため、１つの滑舌棒１によって舌動部５を口内下部と上部とに位置決めして行う口内装着姿勢切換を容易にして使用することもできる。従って、この滑舌棒１は、意識的に噛挟みをするほか単に口に銜えるだけでも、上記各装着姿勢に特有な噛挟み及び接触刺激の付与をすることができるため、前記笑顔等の口角残留感覚の余韻を強く長く持続させて使用満足感を増大することができる。さらに、異なる噛挟み姿勢によって多様なトレーニングを可能にしてトレーニングに興味を抱かせることも容易であり、トレーニング満足残留感覚の余韻（トレーニング実行余韻）をより持続させ、飽きをこさせ難くする等の特徴もある。
【００９３】
そして、図示例の滑舌棒１は、アーム部２ｄの長さと形状を変えることにより図１４に太２点鎖線で示すように、口角接触具７を目尻の下方で頬骨上方の外皮部Ｃに接当させた指圧刺激付与状態で安定的に噛挟み支持することができ、また同様な手段によってコメカミに接当し指圧刺激付与する口角接触具７を併設することができる。この場合に、輪ゴムやバネつる部材等の弾性装着部材１０を、上記口角接触具７や後屈曲部５ｃ又は外側非噛み部２ｓの適所に設けて耳に掛け止めると、滑舌棒１を顔から外すことなく噛挟み姿勢から非噛挟み姿勢への切換保持を可能にすると共に、上記指圧刺激を弾力的に付与することができる等の新規な使用態様を創出することができる。
【００９４】
また滑舌棒１は、外側非噛み部２ｓ或はアーム部２ｄを枕部３として使用することもでき、噛み部２ａ及び舌動部５を床面Ａから離間させ衛生的に仮置きをすることができる。尚、各構造部を線状部材にする滑舌棒１は、ベンダー加工機による曲げ加工をするだけで簡単且つ安価に製作することができ、金メッキ等の適質表面処理も容易にすることができる。さらに噛み本体２には外径の異なる可撓性パイプを選択して挿入することにより、薄噛みトレーニング用と厚噛みトレーニング用の複数の滑舌棒１を、噛み本体２の兼用化を図りながら簡単に製作することができる。また口角接触具７は必要により別部材によって任意形状に構成したものを、アーム部２ｄの先端に着脱又は一体的に設けることもできる。また噛み本体２に厚噛み部２ｃを設けて厚噛みトレーニングをする場合には、球状又は筒状の厚噛み部２ｃをその取付孔を介し後屈曲部５ｃ側に配置すると共に、厚噛み部２ｃは舌動部５又は外側非噛み部２ｓ側にスライド退避移動させると、薄噛みトレーニング状態で通常使用することができる。また上記滑舌棒１は、外側非噛み部２ｓの中途部に図１４に点線で示すように突設させた取付軸部２ｐを、前記支持部８ａに取付けることにより装着部材１０を利用した使用を簡単に行うことができる。
【００９５】
次に、図１７に示す発声トレーニング器具１ａ及び滑舌棒１について説明する。この滑舌棒１は、前記つる本体８に相当するつる部１０ｂと口角接触具７等からなる装着部材１０に、舌動部５を有する噛み本体２を一体的に形成することにより、直径３〜５ミリ程度の針金或いは合成樹脂成形品等からなる線状部材による発声トレーニング器具１ａを構成する実施形態を示している。尚、線状部材を可撓性を有する針金等にするとき、噛み本体２は湾曲形状の舌動部５及び他の要部を容易に屈伸させることができるので、左右の噛み部２ａの間隔調節並びに装着調節等を使用者が自由に行うことができる。
【００９６】
図示例の発声トレーニング器具１ａは、噛み本体２の両側から延長させた線状部材を弦巻状に屈曲させることにより、噛み部２ａを床面Ａに接地させることのない枕部８ｍを一連に形成して設け、且つ該枕部８ｍを連結部（取付部）１０ａとしてメガネと略同形状の耳掛け部１０ｅを有するつる部１０ｂと一体形成した装着部材１０にしている。これにより発声トレーニング器具１ａは、線状部材によって噛み本体２と枕部８ｍと装着部材１０とを一連に備え、恰もメガネを掛けるときと同様の手軽さで顔に装着し、噛み本体２を銜えた状態で左右のつる部１０ｂをそれぞれ両耳に掛けて顔筋と発声トレーニングをすることができる。
【００９７】
従って、トレーニング時に使用者が噛み部２ａの噛挟みを緩くしても、噛み本体２は装着部材１０によって口前側への移動が規制されるため、顔の動きや口の動きに対して噛み部２ａの噛み位置及び口角部の接触位置を常に適正に保持される。
また上記構成による噛み本体２は平面視において、左右の噛み部２ａの内端側は外側端より口奥側に向けて谷折りし内向き傾斜に形成することが望ましく、この場合には内向き傾斜状になる噛み部２ａを、左右の奥歯によって点接触状で均等に噛挟みし易くする利点がある。そして、噛み本体２は、舌動部５の基部側が噛み部２ａより後方に位置して前後方向の屈伸代を大きくするため、舌動部５の前端位置の調節及び左右幅の調節をより自由にして、口の大きさに対応しトレーニング中でも噛挟み姿勢を整えながら、各使用者が長期にわたる適正噛挟みを継続し易くすることができる等の特徴がある。
【００９８】
また図示例の発声トレーニング器具１ａは、つる部１０ｂの前方基部側を外側非噛み部２ｓから連結部１０ａを介し内向きに屈曲させた口外接触片７ａを設けて口角部に側面的に接触せる口角接触具７を構成している。この口角接触具７は、平面視で前方側の内向き突出量を大きくしながら後方に向けて突出量を徐々に小さくした後退傾斜面にすることが望ましい。これにより使用者は口角部に口外接触片７ａによる強い押接接触を受けると共に、この状態で口や唇を動かすことによる外皮部Ｃの動きによって新たな接触刺激を受けるため、口角部を意識した顔筋トレーニングを効果的に行うことができる。
【００９９】
以上のように構成して使用される発声トレーニング器具１ａは、顔への装着をメガネを使用する感覚で簡単に行うことができ、また連結部１０ａや装着部材１０を適宜に屈伸変形させることができるので、多様に異なる顔に対しての適正な装着調節を容易にすることができる。そして、発声トレーニング器具１ａを顔から外したとき、連結部１０ａが枕部８ｍとなって噛み部２ａを接地させることなく床面Ａに置くことができるので、衛生的な仮置きと再使用を速やかに行うことができる。またメガネのつると略同形状の装着部材１０を枕部３から一体的に構成するため、１本の針金部材によって簡単安価且つ軽量簡便で使用し易く製造できる等の特徴がある。
【０１００】
尚、図示例の発声トレーニング器具１ａは、針金を曲げるだけで簡単且つ安価に製作することができるので、例えば小学校の工作教材としても使用し易く、この場合にはその計画立案や設計方法及び加工技術並びにデザイン感性等の習得向上に繋ぐことを容易にする。さらに、この発声トレーニング器具１ａと前記実施形態の滑舌棒１等は、いずれも子供達が好みのものを簡単に製作することができると共に、勉強時はもとより例えば入浴時でも手軽に併行使用することができる。
【０１０１】
従って、自身が製作したこの種作品によって、本発明に係るテーマ分野のトレーニングへの関心や習慣を若年時から身に着けて健康健全を志向した生活を行い易くすることができる。即ち、上記のような発声トレーニング器具１ａの製作と使用を通して、ものづくり能力の向上と正しい発声や言葉及びマナー等のコミュニケーション分野、滑舌筋や口輪筋等の鍛錬、呼吸法の習得活用等の活性を図ることができるので、学生時代から人間力とビジネス能力の向上を志向した人材育成に、好適に繋ぐことができる等の特徴を創出することができる。尚、上記発声トレーニング器具１ａは、図示例の形状に限定することなく、既存のメガネと同様なつる部の折畳み構造や意匠等を取り入れたデザインすることができる。
【０１０２】
次に、上記発声トレーニング器具１ａの構成を利用して行う利用手段について説明する。この発声トレーニング器具１ａは、利用手段としての歯係合具１４を噛み本体２の舌動部５を利用して設けている。即ち、図１７（ｂ）に示すように歯係合具１４は、舌動部５に支持された状態で上側又は下側の歯列Ｂの所定の係止歯に係脱自在に係止させることができ、且つ係止歯を介し口内で噛み本体２の位置決めを確実にすることができる。また噛み本体２が耳又は頭部に装着される装着部材１０のつる部１０ｂを介し引張り方向に支持されるとき、歯係合具１４を介し歯を口内側に引張り付勢する。そして、歯係合具１４は、歯列に嵌合自在な凹溝を有するマウスピース形状となして取付片１４ａを介して舌動部５に設けることが望ましく、これにより歯係合具１４は係合する所望歯列を矯正する歯の矯正ツールになり、歯科医療の分野において噛み本体２側から歯を矯正する新規な用途を創出する等の特徴がある。
【０１０３】
また発声トレーニング器具１ａは、必要により装着部材１０のつる部１０ｂに係止部１０ｈを凹入形成することができ、該左右の係止部１０ｈを針金やバンド又は紐等の横連結部材１０ｃによって連結するとき、つる部１０ｂの浮き上がりを規制することができる。つまり装着部材１０の装着状態において、つる部１０ｂの中途部と顎下部とを正面視でＵ字状に連結する横連結部材１０ｃは、顎を大きく上下動してもつる部１０ｂの浮き上がりを規制するため、噛み本体２を口角部に適正接触させた状態で歯係合具１４を適正矯正姿勢に保持することができる。
【０１０４】
次に、図１７（ａ）に２点鎖線で示すような各種の補助機器６を、発声トレーニング器具１ａに付加する付加手段と使用例について説明する。この発声トレーニング器具１ａは、耳前方のこめかみ部や頬局部を押圧するツボ接当部材３０や、補助機器６の別実施例として示す生体マイナスイオン発生器（治療器）３１の導子部３２を、装着部材１０並びに噛み本体２の構造を利用して設けることができる。
即ち、上記ツボ接当部材３０は、つる状の装着部材１０に取付け自在な取付部３０ａと、該取付部３０ａの先端部に内向きに突設されるツボ接当部（指圧突起）３０ｂとからなり、滑舌棒１を顔に装着したとき、ツボ接当部３０ｂがこめかみ等の所要箇所に接当して指圧作用を行なう。また前記導子部３２は使用者が手で把持することなく、クリップ構造によって装着部材１０に着脱自在に取付けるものが望ましく、この場合には装着部材１０の通電性により生体マイナスイオン発生器３１から発生供給されるマイナス電子を顔の外皮から身体に簡単に送ることができるので、使用者の生体マイナスイオンを高めて健康改善や保持等を行い易くすることができる。
【０１０５】
また導子部３２は、装着部材１０のほかに噛み部２ａ，２ｃ或いは口角接触具７を通電部材にするか又は噛み部２ａ，２ｃを利用して着脱自在に設けた構造にすることができる。尚参考までに、上記生体マイナスイオン発生器３１（以下単に治療器と言う）は、「タカタイオン療法」として学術的に効果検証がなされて周知の「生体マイナスイオン発生治療器」であることが望ましい。この治療器３１の出力導子はステンレス製の導子（金属板）であることが好ましく、この導子を手で把持して使用することにより、身体エネルギが生体マイナスイオン主体になることから、糖尿病や歯周病ほか多くの病気改善並びに疲れ難い体への体質改善を効果的に促進するとされている。
【０１０６】
従って、上記治療器３１の導子部３２を身体接触可能に設けるようにした発声トレーニング器具１ａでは、在来の治療器３１のように導子部３２を手で直接的に把持する必要がないため、手作業を要する勉強やパソコン使用並びに各種の作業に対し、手を塞いで支障を生ずるといった欠点を解消することができる。即ち、導子部３２を備える滑舌棒１は、治療器３１が目的とする治療内容を、発声トレーニングや笑顔トレーニング等に併せて同時に行うことができるため、治療及びトレーニング時間の効率化及び使用効果を相乗的に高めながら、飽きの来ない使用を継続し易くすることができる等の特徴がある。
【０１０７】
また前記した補助機器６或いは治療器３１を設けて使用するようにした発声トレーニング器具１ａは、トレーニング時に人が発する声や顔筋或いは血流等のデータを、例えば、各対応する適宜な検査装置によって検出しパソコン、スマホ等を用いてモニタやパターン学習をすることにより、よりよいトレーニングの発想と改善を行い易くすることができ、また医療や治療の分野等への新たな利用も同時に創出する。
さらに、音声ガイドや録音等の補助機器６を併用して発声トレーニングを行うとき、各種単語やフレーズ或いはオノマトペ等の発声特性の把握や、そのデータの改善を容易にすることができると共に、これら学術分野で新規な開発と展開を図ることを容易にする等の特徴がある。
【０１０８】
次に、図１８に示す発声トレーニング器具１ａについて説明する。尚、前記図１７の実施形態と同様な構成及び作用については同一符号を付して説明を省略する。この発声トレーニング器具１ａは、単独使用可能なパイプ材によって形成した滑舌棒１を、針金等の線条部材によって一連に形成した装着部材１０に着脱自在に取付けるようにしている。上記滑舌棒１は、図４のものと同様な舌動部５を有する噛み本体２に対し、２点鎖線で示す口角接触具７を兼ねる枕部３を備える厚噛み部２ｃを挿入することができ、この状態で装着部材１０に着脱自在に取付けることもできる。
【０１０９】
装着部材１０は、噛み本体２を装着すると共に口角接触具７となる取付部１０ｄを、左右のつる部１０ｂの先端を内向きに曲げて形成し、耳掛け部１０ｅを各つる部１０ｂの後部に下向きに湾曲させて形成し、該耳掛け部１０ｅの後端側を上向きに折返して屈曲部１０ｆを設け、且つ両屈曲部１０ｆを下向き湾曲状の上連結部１０ｇによって一連に連結形成している。これにより装着部材１０は、上連結部１０ｇを上方から頭部に嵌める動作によって、左右の耳掛け部１０ｅを各耳に安定よく掛けることができる。このとき前記内向きに曲げ形成される左右の取付部１０ｄは、平面視で内向きのフック状になるため、顔の両側から口角部内に挿入して口角後縁（唇奥側）に引っ掛け状態で接触させることができ、口縁接触軸部７ｃや噛み部２ａとして使用することもできる。
【０１１０】
即ち、取付部１０ｄは、図示例の位置からさらに内向きに延長すると、この延長部分を噛み部２ａとして使用することができる。つまり装着部材１０は、装着状態において取付部１０ｄを口縁接触軸部７ｃとして、左右の耳掛け部１０ｅとつる部１０ｂを介する弾性力によって、左右の口角部を耳方向或は上方に向けて軽く引き上げるように接触させることができ、口角部を上方に付勢した笑顔状の口元にすることができる。また左右の取付部１０ｄは装着部材１０の弾性力に抗して取付幅を拡縮できるので、滑舌棒１の両端部の取付けを簡単に行うことができ、所望形状の滑舌棒１を選択使用したトレーニングを行うことができると共に、滑舌棒１を取付軸心を中心に回動及び回動固定自在に利便性を有して取付け使用することもできる。
【０１１１】
さらに取付部１０ｄには、所定の形状と大きさで口角部にソフトに接触させる口角後縁接触部の一態様として図示する、例えばシリコン系素材で形成される口角接触具７を着脱自在に挿入して取付けることができる。この場合の口角接触具７は、口内に挿入して口角後縁に接触する口縁接触軸部７ｃと、噛み本体２を挿入して取付ける取付部（孔）とを兼用して構成することができる。つまりこの口角接触具７は、前記図３で示す口縁接触軸部７ｃに相当し口内接触片７ｂを設けた形状にすることができ、さらに、この口角接触具７は必要により口内側に向けて延長させて形成することもでき、この場合には延長部を噛み部２ａとして使用することができる。
【０１１２】
以上のように構成される発声トレーニング器具１ａは、滑舌棒１を装着部材１０に装着するときは主として発声トレーニングを行うことができ、また滑舌棒１を設けない場合には主として笑顔等の顔筋トレーニングを行うことができ、また線状部材からなる装着部材１０は、左右のつる部１０ｂと耳掛け部１０ｅと上連結部１０ｇ並びに取付部１０ｄを一体構造にしているため、安価な針金等の線条部材によっても剛体構造にしながら簡単に製作することができる。また屈曲部１０ｆの湾曲並びにつる部１０ｂの湾曲形状を弾性力に抗して曲げ伸ばしをすることができるので、顔の大きさに対し各部の長さ調整を容易に行うことができる等の特徴がある。また装着部材１０は、上連結部１０ｇを耳掛け部１０ｅから上方に起立させて後頭部を開放しているため、椅子に頭を当てた状態で行なうトレーニングを装着部材１０に邪魔されることなく行うことができる。また非使用時に装着部材１０は、上連結部１０ｇを壁面等のフックや掛け具に簡単に引っ掛けることができるため、格納や保管を行い易くすることができる等の利点もある。
【０１１３】
そして、左右のつる部１０ｂは必要により、その中途部を横連結部材１０ｃによって連結することにより、左右の取付部１０ｄの位置決めとフレーム構造の剛体化を図ることができる。この場合に、左右のつる部１０ｂの取付部１０ｄ寄りを、２点鎖線で示すように横連結部材１０ｃによって下方から連結すると、該横連結部材１０ｃを顎の下方又は前方に位置させて視界外におくことができる。またこの場合には、左右のつる部１０ｂを前方側の横連結部材１０ｃによって一体化させるので、上連結部１０ｇを省略したシンプルな構造にすることができると共に、装着部材１０を外して床面Ａに置くとき、横連結部材１０ｃが枕部８ｍになって口角接触具７等の接地を防止し衛生的に再使用することができる等の利点がある。
【０１１４】
さらに、図示例の装着部材１０は、顔前連結部材１１を必要により設ける場合の実施形態を示している。この顔前連結部材１１は、後方を解放した二股Ｕ字状の線状部材の中央部に鼻を跨いでその左右に接当させる鼻当て部１１ａを設け、且つ顔前連結部材１１の両端側を左右のつる部１０ｂに対し、上記鼻当て部１１ａの接当高さ位置を調節自在に取付けるようにしている。また左右の鼻当て部１１ａは線状部材を屈伸変形することで、接当位置の幅及び前後方向の調節をすることができるので、鼻腔を広げるツボ点等を確実に押接し鼻呼吸をより楽に行うこと、及び鼻呼吸を意識させることができる。また顔前連結部材１１には重錘等の押圧部材１１ｂを付設することができ、この場合には押圧部材１１ｂの押圧力によってツボ点等を強弱自在に指圧することができる。従って、顔前連結部材１１を備える装着部材１０は、口呼吸症候群の防止とその症状の改善を行い易くする等の新たな特徴を簡単に創出する。また舌動部５を有する噛み本体２は、装着部材１０に対し回動自在に取付けることができ、この場合には舌動部５が口内の形状や顎の運動に応じて上下方向に倣い移動をすること、及び装着部材１０への変動力を抑制するためトレーニングを行い易くすることができる利点がある。
【０１１５】
さらに、左右のつる本体８を連結する横連結部材１０ｃは、その中途部に任意構造の息吹込み具１２を使用適正姿勢に設けることができ、該息吹込み具１２を利用した呼吸法や管楽器の練習並びに発声トレーニング等を効果的に行うことができる。息吹込み具１２は、口から息をいれる息入れ部１２ａと息排気部１２ｂを有する本体部を、取付部材１２ｃを介して横連結部材１０ｃに着脱及び取付け角度並びに位置調節自在に設けることができる。これにより発声トレーニング器具１ａは、滑舌棒１によるトレーニングを行いながら又は滑舌棒１を外した状態で息吹込み具１２を使用し、例えば管楽器の息づかい練習や口元トレーニング等を効果的に行うことができよい口元習慣をつけ易くすることができる。尚、上記のように横連結部材１０ｃを利用して取付ける息吹込み具１２等の利用付属機器は、別途準備される任意形状の着脱自在な横連結部材１０ｃに取付けて用いることもできる。
【０１１６】
次に、図１９に示す運動時に好適に使用可能な運動型（ランニングタイプ）の発声トレーニング器具１ａについて説明する。この発声トレーニング器具１ａは、頭部に鉢巻状に又はヘアバンド状に嵌合させて装着する装着部材（バンド）１０に、つる部１０ｂを介し滑舌棒１を実線で示す噛挟み使用姿勢と、噛挟みを解除した非使用姿勢において仮支持する収納姿勢とに切換自在となるように構成している。
このバンド１０は、吸汗部材の設置を可能とする鉢巻状の幅を有するリング状又はＵ字状の帯状体としており、自身が有する弾性力或は緊締構造を介して頭部に嵌合状態で装着される。そして、バンド１０は、滑舌棒１の両端側を支持する各つる部１０ｂの後端を左右の取付部１０ｒを介して取付けていると共に、姿勢変更手段を介して使用姿勢から非使用時の収納姿勢に切換えられる滑舌棒１の姿勢を保持するフックやボックス等からなる姿勢保持手段１３を備えている。
【０１１７】
即ち、実施形態の姿勢保持手段１３は、バンド１０の両側につる部１０ｂを係脱自在に係止することができるＬ字状のフック部１３ａを設ける構造、或はバンド１０の前部に滑舌棒１を係脱自在に係止することができるＣ字状のボックス部１３ｂを設けて構成することができる。また滑舌棒１を使用姿勢と収納姿勢とに切換る姿勢変更手段は、バンド１０に取付部１０ｒを前後移動自在にするスライド支持構造や、つる部１０ｂを可撓性を有する伸縮構造等によって構成することができる。これにより発声トレーニング器具１ａは、例えばランニングやジョギング並びにダンス等の運動或はカラオケ練習等を行う際、或はスマホメール時間を活用して滑舌棒１を好適に活性使用することができる。
【０１１８】
即ち、運動時に滑舌棒１が激しい上下運動を受けても、舌動部５が滑舌棒１の口前側への移動を規制すると共に、滑舌棒１はバンド１０からつる部１０ｂを介し口に銜えた実線の使用姿勢に保持されるので、発声や顔筋及び笑顔トレーニング等を併せて支障なく行うことができる。また上記運動中に顔筋トレーニング等を一時的に中断したい場合に、滑舌棒１を姿勢変更手段の姿勢維持力に抗して前側移動させて口から外すと共に、取付部１０ｒ側を支点につる部１０ｂをフック部１３ａに係止させるか、又は滑舌棒１をボックス部１３ｂに直接的に係止することにより、滑舌棒１を顔から退避させながら頭部側に移動しバンド１０に仮支持状態にすることができる。尚、ボックス部１３ｂには、必要により滑舌棒１を収納自在な滑舌棒ケース１３ｃを着脱自在に取付けることができる。
【０１１９】
以上のように構成される発声トレーニング具１ａは、頭部に嵌合させて装着する装着部材（バンド）１０に、つる部１０ｂを介し滑舌棒１を実線で示す噛挟み使用姿勢から、噛挟みを解除した非使用姿勢の滑舌棒１をバンド１０に仮支持する収納姿勢に切換ると共に、逆順の動作によって再使用を速やかに行うことができるので、長時間のランニングや散歩等の時間を利用した滑舌棒１による相乗的トレーニングを行い易くすることができる。また近年提唱されている、短距離走において顔筋を笑顔状態にすることが記録更新改善に繋がると証明されているスポーツ理論に基づけば、この滑舌棒１は笑顔状態でのランニングを行い易くすると共に、各種スポーツの記録更新への挑戦トレーニングを行い易くすることができる等の特徴がある。尚、この発声トレーニング器具１ａは、バンド１０に局部的に鼻のみを覆うように構成された鼻マスク３５を２点鎖線で示すように設けることができ、この場合には大気汚染が心配される際のトレーニングも支障なく利便性を有して行うことができる。また必要により口前カバー３６を設けることができ、後述するマスク１０と同様に口元側を簡単に覆うことができる。また鼻マスク３５と滑舌棒１は、使用者に自動又は手動手段によって、例えば芳香剤、甘味剤、栄養剤、薬剤等を選択可能供給する構成にしてもよい。
【０１２０】
次に、図２０を参照し折畳み自在な装着部材１０に、滑舌棒１を着脱自在に取付けることができる発声トレーニング器具１ａについて説明する。この発声トレーニング器具１ａは、既述のものと同様なＵ字形状の横連結部材１０ｃの左右に、滑舌棒１の左右端を係脱自在に取付ける取付手段９を構成し、該取付手段９の下部近傍に構成される折畳部２５を介してつる部１０ｂを連結している。図（ａ）,（ｂ）に示す取付手段９は、内向きに対向して滑舌棒１の両端を係止する係合部材２６を、横連結部材１０ｃに固設されるホルダ２７内に左右移動自在に支持した状態で、両者間に張りスプリング２７ａを介装し係合部材２６を係合方向に付勢している。係合部材２６は、内方側に滑舌棒１の端部を内嵌又は外嵌することによって係止する係止片２６ａ,２６ｂを形成し、外方側に鍔状のストッパ２６ｃを突設している。
【０１２１】
これにより取付手段９は実線で示すように、滑舌棒１のパイプ孔左右端を左右の係合部材２６の係止片２６ａに内嵌させることによって使用姿勢に支持することができると共に、係合部材２６をスプリング２７ａの付勢力に抗して外方に移動させることにより、使用姿勢を解除して滑舌棒１を取り外すことができる。さらに、係合部材２６は、係止片２６ｂ内を円錐状の嵌合面にしているため、図（ｂ）に２点鎖線で示すような経大な滑舌棒１を外嵌によって使用姿勢に支持することができ、形状の異なる滑舌棒１をワンタッチ状に着脱することができる。また滑舌棒１は取付軸心周りの回動支持を容易にするので、前記した噛挟み時の口内での使用感並びにトレーニング休止状の口前側での挟持保持等の仮保持を簡単にすることができる等の利点がある。
【０１２２】
また取付手段９の取付構造を利用して、例えば係合部材２６内に中空部２６ｄを形成することが容易であり、該中空部２６ｄ内にスピーカ、マイク、振動発生器等の補助機器６類を収納することにより、発声トレーニング器具１ａの前記した用途毎の使用性を高めることができる。また取付手段９には上記滑舌棒１に代えて、前記口角接触具７又は片側噛挟み具６０を取付け自在にして使用することができる。尚、上記スピーカ等の補助機器６は、係合部材２６等の取付手段９の近傍に外付けしてもよい。
一方、図（ｃ）に示す取付手段９は、横連結部材１０ｃの両端部に形成した係合部材２６の取付孔２８に枕部３を有する滑舌棒１の左右端を挿入することができ、これにより滑舌棒１を使用姿勢に支持すると共に、横連結部材１０ｃの端部を矢印方向に移動させることにより、滑舌棒１を取付孔２８との係合を解除して簡単に取り外すことができる。このとき噛み本体２の左右に突設される枕部３は、滑舌棒１の左右移動を規制するストッパ部材を兼ねるため、滑舌棒１の使用姿勢を安定的に保持すると共に、取り外した滑舌棒１を衛生的に仮置きや保管をすることができる。
【０１２３】
装着部材１０は、横連結部材１０ｃの左右上部に湾曲状に形成される外側面に、蝶番構造からなる折畳部２５を所定の折畳角度を有して設けており、該折畳部２５を介してつる部１０ｂの基部を回動自在に軸支している。またつる部１０ｂは該基部から上方に立ち上げた起立部を介して耳掛け部１０ｅを後方に向け延長形成している。
これにより発声トレーニング器具１ａは、左右のつる部１０ｂを実線で示す使用姿勢にしたとき、滑舌棒１を口に銜えた状態で耳掛け部１０ｅを耳にかけて発声トレーニング等を行うことができる。そして、左右のつる部１０ｂは矢印方向に折畳むことができ、折畳部２５の構造及びつる部基部の起立形状によって、２点鎖線で示すように滑舌棒１の上方側において、左右のつる部１０ｂの折畳姿勢を厚くすることなく薄い折畳み格納状態にすることができる。このとき横連結部材１０ｃに取付手段９を介して回動自在に支持される滑舌棒は、上記格納状態のつる部１０ｂと横連結部材１０ｃとに側面視で平坦状に沿わせることができ、嵩張らないコンパクトな格納状態にすることができる。
【０１２４】
尚、つる部１０ｂは、その中途部にＵ又は逆Ｕ字状に屈曲させた屈伸部２９を設けると、つる部長さの調節を屈伸部２９の変形調節（調子取り）を介して簡単に行うことができる。また屈伸部２９は所望の指圧具等の取付部にすることができる。
以上のように構成される発声トレーニング器具１ａは、装着部材１０に滑舌棒１を回動及び着脱自在に設けて使用し易くすることができ、また薄い折畳み格納状態にすることができるため携帯使用時の利便性を向上させることができる。またつる部１０ｂの折畳み構造は、蝶番構造に限ることなく、内向きに折り曲げ又は屈伸自在な合成樹脂部材或は合金部材やワイヤ部材からなるフレキシブル型継手によって簡潔安価に製作しながら、つる部１０ｂを滑舌棒１に沿わせた薄型でコンパクトな折畳姿にすることもできる。また上記構成による発声トレーニング器具１ａは、各構成部材を貴金属を使用した製作を好適にすることができるため、シンプル且つゴージャスな美観を備えながら各種トレーニングを快適に行い易くすることができて、飽きを生じさせ難い発声トレーニング器具１ａを提供することができる等の特徴がある。
【０１２５】
一方、この発声トレーニング具１ａは、必要により顔筋運動手段４０を滑舌棒１の両端又は左右の装着部材１０に着脱自在に設けることができ、口に銜えた滑舌棒１を介して顔筋運動手段４０による運動を顔に伝えることができる。これにより日頃鍛え難い顔の筋肉を強制的且つ楽に鍛えると共に、好奇心や楽しみも喚起しながら飽きを生じ難いトレーニングを目指すことができる。図示例の顔筋運動手段４０は、回転運動機構、往復運動機構、振動機構等所望の機構からなる駆動部４１と、該駆動部４１を滑舌棒１又は係合部材２６に接続する取付部４２と、駆動部４１に支持されて作動自在な弾性力を有する帯板状或は丸棒状の作動部材４３等により構成している。
また作動部材４３は、所定長さの帯状板の自由端にウエイト（バランスウエイト）４４を設けることにより、駆動部４１の運動に基づく板厚方向の振幅エネルギや遠心方向エネルギをより増大させるようにしている。また駆動部４１の停止状態において使用者が顔を上下又は左右に動かす運動をするとき、運動動作に基づくウエイト４４を有する作動部材４３の共振運動を大きくし、このエネルギを噛挟み姿勢の滑舌棒１を介し口及び顔の筋肉に効率よく伝えて負荷をかけることができる。このように顔筋運動手段４０を備える発声トレーニング具１ａは、滑舌棒１を銜えた状態で駆動部４１の操作スイッチを選択操作することにより、作動部材４３を２点鎖線矢印で示すように、正転又は逆転又は上下運動をウエイト４４の振動増幅作用を付加して口に強く伝えることができ、４０種程あると言われる多数の筋肉に動力負荷を効率よく確実に付与しながら顔筋トレーニングを行い易くすることができる。
【０１２６】
また駆動部４１を停止させた状態では、使用者が顔を動かす動作によって所望の顔筋トレーニングを自由に行うことができる等の特徴がある。また顔筋運動手段４０は、装着部材１０を有しない滑舌棒１に設けた単独使用を可能にすることができると共に、滑舌棒１を有しない状態の装着部材１０に設けた単独使用を可能にすることができ、いずれの場合でも顔筋トレーニングを好適に促進し、特に顔の下半筋肉を強制的に鍛えてたるみを改善した引き締め効果による美しい顔を早期に目指すことができる。
尚、滑舌棒１を介して顔筋運動手段４０による動力的顔筋トレーニングを行う場合には、噛み部２ａに２点鎖線で示すような厚噛み部２ｃに相当するクッション性を有するマウスピース部材を着脱又は一体的に設けて使用することができる。また滑舌棒１の両側に作動部材４３を一体又は着脱自在に設けるとき、左右のウエイト４４部に振動機器からなる駆動部４１をウエイト付加部材として好適に設けることができる。
この場合には、舌動部５の他に任意形状の滑舌棒や噛挟み具に作動部材４３を設けた顔筋トレーニング具の単独的な商品化を容易にすることができる。また上記左右の駆動部４１は、一定又は不定の振動を切換自在に設けることが望ましい。
【０１２７】
次に、図２１を参照し滑舌棒１を顔直付け用のクリップ機能を備える口角接触具７と共に使用する実施態様について説明する。先ず、図示例の滑舌棒１は、噛み本体２の中央部に舌動部５を備え、その両側に後屈曲部５ｃを介して噛み部２ａと外側非噛み部２ｓを延設している。口角接触具７は図２１（ｂ）に示すように、広幅箆状の口外接触片７ａと小幅箆状の口内接触片７ｂの基部とを、口縁接触軸部７ｃの外側と内側に口角後縁の挟持間隔を有して一体的に設けると共に、側面視で口内接触片７ｂを口外接触片７ａに重ね後方に向け延長させ、平面視でＵ字形状となるように形成している。そして、口外接触片７ａは、前端から後方に向けて上下方向に滑らかに拡開させた形状とし、後端外周を折り返し状に屈曲させて把持部７ｕを形成している。把持部７ｕは装着部材としての輪ゴム１０等を取付ける取付部にしている。一方、口内接触片７ｂは、後端を内向きに滑らかに屈曲させて挟持用のガイド面７ｖを形成している。
【０１２８】
これにより対をなす左右の口角接触具７は、口外接触片７ａの把持部７ｕを摘まみ口内接触片７ｂを口内に差入れながら後方に移動する簡単な動作によって、上記挟持間隔内に口角後縁Ｋを引っ掛け状態で無理なく挿入することができ、口縁接触軸部７ｃを口角後縁Ｋに接触させた状態に速やかに顔に装着することができる。そして、口角接触具７の装着状態において、口内接触片７ｂは滑らかな面形状及び挟持弾性力によって口外接触片７ａとの間で、口角部に痛みを伴うことのない接触刺激を好適に付与する。また口外接触片７ａは、その広幅形状によって法令線部分を外観よく覆うと共に、口角部への装着感をより意識させることができる。
【０１２９】
また口角接触具７は、上記装着動作とは逆順の動作によって口角部から簡単に取り外すことができ、且つ把持部７ｕ側を床面Ａに接地させて枕部となし衛生的に仮置きをすることができる。また口角接触具７は、必要により前部側に形成される取付孔７ｔに、滑舌棒１の外側非噛み部２ｓをスライド自在に挿入して取付けることができ、頭部装着型の装着部材１０を特に必要とすることなく滑舌棒１を口に適正に装着することができる。これにより使用者は、口角接触具７による顔筋トレーニングと噛み部２ａを上下の歯列Ｂによって噛挟みした発声トレーニングを併行することができる。
【０１３０】
尚、口角接触具７の口角部装着手段は上記構造に限定することなく、イヤリングやピアス等のアクセサリを耳に装着する際に用いられる、例えば耳朶を挟持する挟持取付手段と同様な、間隔調節構造或はスプリングや磁力による弾力的に挟持する挟持力調節構造を利用して構成することができる。また口角接触具７の構成材も、在来のアクセサリに使用される各種の貴金属やチタン合金等の皮膚との接触性及び意匠性に優れた好適品質構造にすることができる。このように構成される口角接触具７は、イヤリングと同様にアクセサリ用途の形状材質等のデザイン付加価値と口角接触刺激付与による実用性の融合化を図ることができるので、携帯性を有して口回りを装飾する新規なアクセサリ分野を創出しながら、顔筋や滑舌並びに発声等のトレーニングを何時でも何処でも楽しく行うことを可能にする等の特徴がある。
【０１３１】
次に、図２２，図２３を参照し滑舌棒１を装着部材１０としてのマスクに設けて使用する発声トレーニング器具１ａについて説明する。この発声トレーニング器具１ａは、舌動部５を有する滑舌棒１を口に銜えた状態で、該滑舌棒１と口と鼻及びその周囲の顔を覆うマスクを装着部材１０としており、使用者が左右の噛み部２ａを噛挟みして口に銜えた滑舌棒１を、顔に装着される装着部材（以下単にマスクと言う）１０のマスク本体１５によって支持しながら、滑舌棒１と口元を隠した状態で発声や顔筋等のトレーニングを可能にし、各種のトレーニングを人目や場所や時間等を気にすることなく何処でも手軽且つ簡単に行うようにしている。
【０１３２】
図２２に示す発声トレーニング器具１ａに使用するマスク１０は、不織布や紙又は合成樹脂製の汎用部材によって平坦状に形成されるマスク本体１５と、その両側に輪ゴムや紐等の装着手段（以下単に掛け紐と言う）１６を有し、安価に製造市販されている簡易な平坦型マスクとしている。このマスク１０は、不織布を上下方向に複数段に折り返えしてマスク内面の上下に横向き３段の袋部１７を形成し、本体外周に圧着加工を施して左右側辺にリング状の掛け紐１６を設け、上片部に可撓性を有する鼻当て用の線材１８を設けた構成となっている。
【０１３３】
上記構成において実施形態のマスク１０は、最下段の袋部１７の袋深さを他の袋部１７より深くしており、且つこの袋部１７の袋底１７ａに、滑舌棒１の外側非噛み部２ｓを挿入自在とする支持孔１９を穿設している。これによりマスク１０は図２２（ａ）,（ｂ）に示すように、袋部１７内に滑舌棒１を舌動部５を下向きにして入れ収納した状態で、左右の外側非噛み部２ｓを各支持孔１９に差入れることができる。このとき滑舌棒１は袋部１７から内面側に大きく突出することなく、マスク本体１５に沿った平坦状の収納姿勢にすることができる。またマスク本体１５の内面両側には、マスク１０を顔に装着した図２２（ｃ）で示す装着状態において、使用者の口角部に接当して接触刺激を指圧状に付与する口角接触具７を突設している。
【０１３４】
以上ように構成される発声トレーニング器具１ａの使用は、先ず、舌動部５と噛み部２ａ側を袋部１７から引き出して口に銜え、噛み部２ａを適正噛挟み姿勢にしながら、マスク本体１５を口に当てて掛け紐１６を耳に掛けることにより、図２２（ｃ）に示すように、マスク１０の顔への装着と滑舌棒１の口への装着を同時に簡単に行うことができる。このとき舌動部５が口内に挿入され噛み部２ａが適正噛挟みされると共に、外側非噛み部２ｓが支持孔１９との係合を介してマスク本体１５から突出状になって支持されるため、滑舌棒１が平坦状から半円弧状の幅狭状に変形されるマスク本体１５の顔への装着姿勢を妨げることなく、前記各実施形態の発声トレーニング器具１ａと同様に発声トレーニング等をスムーズに行うことができる。
【０１３５】
即ち、この発声トレーニング器具１ａは、滑舌棒１を支持するマスク本体１５がマスク１０の装着を介して、顔筋や発声等のトレーニング並びに口角接触具７を口角部に押接した接触刺激を付与するトレーニングを、口元を隠した状態で外観させることなく行うことを可能にする。従って、この発声トレーニング器具１ａによれば、上記各種のトレーニングを人目や場所や時間等を気にすることなく、随時何処でも手軽且つ簡単に行うことができると共に、マスク使用の時間を利用して滑舌法の習得や後述するような呼吸法も体験できること、及びマスク装着時の鼻呼吸を楽に促進でき口呼吸を抑制することができるため、口呼吸症候群や花粉症候群等の予防に繋ぎ易くする等ニュータイプマスクと新規な使用法や用途を安価に創出する等の利点がある。
【０１３６】
つまり、滑舌棒１を備えない在来の単体マスク１０は、マスク本体１５が口回り全体の外皮部Ｃに接触して押接する押接シート状面になるため、鼻呼吸をし難くすることから口呼吸をせざるを得なくする等の課題を有している。一方、滑舌棒１を有するマスク１０では、口角部への押接や接触刺激の付与によって使用者が自ずと鼻腔を大きくさせて、マスク装着時に生じやすい口呼吸を抑制しながら、鼻呼吸を無理なく促進させることができるものである。また装着姿勢において、鼻の下方に位置する滑舌棒１は、屈伸自在な形状や剛性により鼻下及び口前側の空間を確保形成するフレーム材として利用することができるため、この隙間を介して鼻呼吸を楽にすることができると共に、マスク本体１５と唇との接触も防止するように設けることができる。
【０１３７】
従って、唇を動かす滑舌練習を妨げないものであると共に、口紅の剥げ落ちやマスク付着等を心配することなく衛生的且つ快適に使用することができる。また発声トレーニング器具１ａは、マスク１０を装着して単に使用する通常時使用の際に、滑舌棒１を舌動部５を下向きにして袋部１７内に入れた収納状態での使用を行い易くすると共に、滑舌棒１を口前方向に屈曲変形させて口前側の空間を確保形成するフレーム材として利用することができ通常時使用のマスク利用も衛生的且つ快適にする。
【０１３８】
次に、図２３に示すマスク型発声トレーニング器具１ａについて説明する。尚、前記図２２に示すものと同様な構成及び作用については、同一符号を付して説明を省略する。先ず、この発声トレーニング器具１ａは、舌動部５を有する滑舌棒１を、図２２に示すものと同様の簡易平坦型のマスク１０に対し、噛み本体２の両側に設けたクリップや面ファスナ或は接着材等の取付手段９を介して取付けて使用することができるようにしている。滑舌棒１は図２３（ｂ）,（Ｃ）に示すように、噛み本体２の長さをマスク本体１５の横長さと略等しくしており、中央部の外側非噛み部２ｓの太さを左右の噛み部２ａより小さくして屈曲自在な舌動部５となるようにしている。
【０１３９】
また噛み部２ａに対し左右の外側非噛み部２ｓを屈曲自在に接続し、該外側非噛み部２ｓの端部に取付手段９としてのクリップ片２０を設けている。このクリップ片２０は、外側非噛み部２ｓの端部から内向きに突出する挟持片としており、マスク本体１５の側辺を差入れて挟持することができる。また外側非噛み部２ｓには口角部に接当自在な口角接触具７を突設している。
上記のように構成される滑舌棒１は、各クリップ片２０にマスク本体１５の側辺を差入れて挟持させるだけで、マスク装着時に適正高さで噛挟み姿勢にする位置に取付けることができる。このとき滑舌棒１は、必要により袋部１７を広げてその内部に噛み部２ａ及び舌動部５を差入れた状態にセットすることもできる。
【０１４０】
次いで、マスク１０に装着した滑舌棒１の左右の噛み部２ａを適正噛挟み姿勢に銜え、且つマスク本体１５を口に当てながら掛け紐１６を耳に掛ける動作によって、図２３（ｄ）に示すように、マスク１０の顔への装着と滑舌棒１の口への装着を同時速やかに行うことができる。このとき滑舌棒１は、マスク本体１５が平坦状から顔の側面に沿って半円弧状に変形される装着姿勢になることに伴い、可撓性を有する外側非噛み部２ｓが後方に向けて曲がるため、マスク本体１５の湾曲変形を妨げることなく、口角接触具７を口角部の外皮部Ｃに適正に接触させて装着することができる。また装着時に湾曲するマスク本体１５によって、内側移動する左右の噛み部２ａの間が狭められるとき、可撓性を有する外側非噛み部２ｓは図２３（ｂ）に２点鎖線で示すように前方や上方に向けて自由に撓むため、より大きな空間部５ａを有する舌動部５を形成して舌の基部側の動きを行い易くする。
【０１４１】
そして、発声トレーニング器具１ａを顔から外す際には、マスク装着動作と逆順の動作によって外すことができると共に、外したマスク１０を平坦状に伸ばす動作によって後方に向け屈曲した外側非噛み部２ｓを伸ばして真直状態にすることができ、且つ発声トレーニング器具１ａの収納及び再使用を容易にすることができる。また発声トレーニング器具１ａは、使用後に廃棄されるマスク１０から、滑舌棒１をクリップ片２０による装着手段９を介して簡単に外すことができるため、外した滑舌棒１を別のマスク１０に取付けて新たな発声トレーニング器具１ａとして再利用することができる等の利点がある。
【０１４２】
さらに、この滑舌棒１はマスク１０を使用することなく単独に使用することができるほか、クリップ片２０のフック形状部に輪ゴムを掛けることにより、該輪ゴムを装着部材１０として顔に装着することができるので、噛挟み姿勢を弾力的に保持する滑舌棒１の有効利用を効率よく促進することができる等の特徴もある。また上記のように構成し使用される発声トレーニング器具１ａは工場出荷時に、予め滑舌棒１をマスク１０に取付けたセット商品として出荷販売することができると共に、マスク１０と滑舌棒１とを別々に出荷して販売することもできる。
【０１４３】
尚、図示例の滑舌棒１は、クリップ片２０を図２３（ｂ）,（ｃ）に２点鎖線で示すように下向きに設けることもでき、この場合には該クリップ片２０に袋部１７の上辺を差入れて挟持することができるため、必要により噛み本体２を袋部１７内に収納した状態でマスク１０に装着することができる利点がある。また滑舌棒１の取付手段９は、マスク本体１５を挟持するクリップ片２０等の挟持手段に限定することなく、例えば、マスク本体１５の適所に面ファスナ又は粘着テープ等による貼着手段、並びに噛み本体２の端部をマスク本体１５の適所に刺し込み又は係合させる係脱手段等にすることができる。
【０１４４】
さらに噛み本体２に対する舌動部５の付設手段は、例えばマスク装着時に噛み本体２を噛挟みしたとき、外側非噛み部２ｓが自ずと前方に向けて変形するような舌動部形成構造にすることができる。この場合の舌動部形成構造は、例えば噛み本体２の少なくとも外側非噛み部２ｓを形状記憶合金によって構成することにより、銜えた口内温度によって外側非噛み部２ｓを昇温させ、記憶形状の通りに可逆的に変形させて舌動部５を形成することができる。これにより例えば図２３（ａ）に２点鎖線で示すように、形状記憶合金からなる線状部材によって形成した滑舌棒１を、マスク１０の袋部１７内に入れた状態で噛み本体２の両端を突っ張り棒状態で収納支持した発声トレーニング器具１ａにすることができる。また使用後に口から外して元の形状になった滑舌棒１は袋部１７内に入れて収納状態にすることができるので、マスク１０の通常時使用をすることができる。
【０１４５】
さらに、実施形態のマスク型発声トレーニング器具１ａでは、不織布等による平坦型マスク１０を示したが、合成樹脂製や加工紙製からなる立体構造のマスクにしてもよく、この場合には滑舌棒１をより簡単に設置することができる。この立体マスク１０への滑舌棒１の設置手段は、上記図示例のものに限定することなく、例えば図４に示す滑舌棒１や図７に示すような口角接触具７を、マスク１０内に形成される広いスペースを利用し滑舌棒１を使用し易い設置構造によって、内装設置又は着脱自在に設置して使用することができる。尚、滑舌棒１の少なくとも内側非噛み部２ｂは、必要により糸紐状の部材によって形成してもよいものである。
【０１４６】
以上のように構成される滑舌棒１及び発声トレーニング器具１ａは、例えばトレーニングや使用目的に対応した品揃え（シリーズ化）と応用開発及びそのトレーニング方法の新規開発展開を図ることができると共に、各種トレーニング効果の検証と展開を通し、笑顔や発声と運動の連携方法を研究構築することにより、ビジネス活性人材の育成は基より、認知力活性や関連医療分野での有効ツール化とその利用文化等の創成と展開を図ることができる。
【０１４７】
一方、前記したように小学生から中学生向けのモノヅクリ工作教材として、また上記課題に対する高校生から大学生用の滑舌や笑顔並びに発声や顔筋等のトレーニングを解明する研究テーマ材としても好適化させることができる。さらに、各種学習塾や研修関連分野等では、発声トレーニング器具１ａや滑舌棒１を活用した総合学習の機会として、学力向上用の授業に非特許文献１に記載提唱されている趣旨によるビジネス人材育成等の特別付加価値を融合させる総合授業の促進を容易にする。従って、日本で急務とされている、若者の会話能力の向上及び早期ビジネスマン教育の実践をより能率よく容易に行うことができる等の特徴がある。
【０１４８】
さらに、トレーニング時の言葉やフレーズは、汎用されている在来のもののほか、音読み発声に勝れその語彙が潜在意識に入り易くよりよい記憶を形成し、且つ各自の人生創造に役立つキーワードであることが望ましく、例えば、「明強優美，満快楽気、柔和良華工利，勇遊勉，感創学、仁義智、元笑・・」等の簡明な創作キーワードや、音読リズムに勝れた例えば勝海舟が愛語した「六然訓」など、先達による格言や語録の展開を各分野毎に体系化を図ることにより、創造性やビジネスに必要とされるスキルを高めるトレーニング用語をマニュアル化することができる。また上記のようなスキルアップトレーニングの促進は、パソコンやウェアラブル端末等を利用したトレーニング補助（助成）技術と、トレーニング手法の構築により滑舌棒利用文化の創成展開を図り易くすることができ、また構築に向けての新規課題を提供することができる。
【符号の説明】
【０１４９】
１  滑舌棒（舌動滑舌棒）
１ａ  発声トレーニング器具
２  噛み本体
２ａ  噛み部
２ｂ  内側非噛み部
２ｃ  厚噛み部
２ｒ  合成樹脂製パイプ
２ｓ  外側非噛み部
３  枕部
５  舌動部
５ａ  空間部
５ｂ  後屈曲部
５ｃ  後屈曲部
５ｅ  屈曲谷部
６  補助機器（トレーニング助成手段）
７  顔接触部（口角接触具）
８  つる本体
８ａ  支持部
８ｍ  枕部
９  取付手段
１０  装着部材（バンド、マスク）
４０  顔筋運動手段
Ａ  床面
Ｂ  歯列
Ｃ  外皮部
Ｄ  舌
【図１】
2016065957.tif 000003
【図２】
2016065957.tif 000004
【図３】
2016065957.tif 000005
【図４】
2016065957.tif 000006
【図５】
2016065957.tif 000007
【図６】
2016065957.tif 000008
【図７】
2016065957.tif 000009
【図８】
2016065957.tif 000010
【図９】
2016065957.tif 000011
【図１０】
2016065957.tif 000012
【図１１】
2016065957.tif 000013
【図１２】
2016065957.tif 000014
【図１３】
2016065957.tif 000015
【図１４】
2016065957.tif 000016
【図１５】
2016065957.tif 000017
【図１６】
2016065957.tif 000018
【図１７】
2016065957.tif 000019
【図１８】
2016065957.tif 000020
【図１９】
2016065957.tif 000021
【図２０】
2016065957.tif 000022
【図２１】
2016065957.tif 000023
【図２２】
2016065957.tif 000024
【図２３】
2016065957.tif 000025